(57)【要約】  本開示はタイムスロット／物理リソースブロック（ＰＲＢ）集約方法、基地局（ｇＮＢ）、ユーザ装置及び記憶媒体に関する。ｇＮＢで実行される方法は、ｇＮＢが集約設定における少なくとも一部の集約設定の情報をユーザ装置（ＵＥ）に送信し、集約設定が１セットのタイムスロット、単一のタイムスロットにおける１セットの物理リソースブロック（ＰＲＢ）、及び少なくとも２つのタイムスロットにおける１セットのＰＲＢのうちの一つの集約設定であることと、ｇＮＢが集約設定に従って集約された１セットのタイムスロット、単一のタイムスロットにおける１セットのＰＲＢ、及び少なくとも２つのタイムスロットにおける１セットのＰＲＢのうちの一つに搬送されたロングフォーマット物理アップリンク制御チャネル（ＰＵＣＣＨ）をＵＥから受信することとを含む。
2020511093.tif 000002
【特許請求の範囲】
【請求項１】
集約方法であって、
基地局（ｇＮＢ）が１セットのタイムスロット、単一のタイムスロットにおける１セットの物理リソースブロック（ＰＲＢ）、及び少なくとも２つのタイムスロットにおける１セットのＰＲＢのうちの一つに関する集約設定における少なくとも一部の集約設定の情報をユーザ装置（ＵＥ）に通知することと、
前記ｇＮＢが前記集約設定に従って集約された前記１セットのタイムスロット、前記単一のタイムスロットにおける１セットのＰＲＢ、及び少なくとも２つのタイムスロットにおける１セットのＰＲＢのうちの一つに搬送されたロングフォーマット物理アップリンク制御チャネル（ＰＵＣＣＨ）を前記ＵＥから受信することとを含む、前記集約方法。
【請求項２】
前記ロングフォーマットＰＵＣＣＨがアップリンク制御情報（ＵＣＩ）を搬送するための１  ＰＲＢ  ｘ  Ｎ個のシンボルの時間周波数リソースをサポートする場合、前記１セットのタイムスロット、前記単一のタイムスロットにおける１セットのＰＲＢ、及び前記少なくとも２つのタイムスロットにおける１セットのＰＲＢの一つがＵＣＩを搬送するための約１  ＰＲＢ  ｘ  Ｎ個のシンボルの時間周波数リソースをサポートするために集約され、ここで、Ｎが正整数であることを特徴とする
請求項１に記載の集約方法。
【請求項３】
前記ｇＮＢが１セットのタイムスロット、単一のタイムスロットにおける１セットのＰＲＢ、及び少なくとも２つのタイムスロットにおける１セットのＰＲＢのうちの一つに関する集約設定における少なくとも一部の集約設定の情報をユーザ装置（ＵＥ）に通知することは、
前記ｇＮＢがＵＣＩを搬送するための集約されるタイムスロットの総数、ＵＣＩを搬送するための集約される各タイムスロットの構造、及びＵＣＩを搬送するための集約されるシンボルの総数のうちの少なくとも一つの情報をＵＥに通知することを含むことを特徴とする
請求項１に記載の集約方法。
【請求項４】
前記ｇＮＢがＵＣＩを搬送するための集約されるタイムスロットの総数、ＵＣＩを搬送するための集約される各タイムスロットの構造、及びＵＣＩを搬送するための集約されるシンボルの総数のうちの少なくとも一つの情報を前記ＵＥに通知することは、
前記ｇＮＢがＵＣＩを搬送するための集約されるタイムスロットの総数とＵＣＩを搬送するための集約されるシンボルの総数を前記ＵＥに通知することを含み、
ここで、共通制御チャネルを介して集約される各タイムスロットの構造を前記ＵＥに通知することを特徴とする
請求項３に記載の集約方法。
【請求項５】
単一のタイムスロットにおける１セットのＰＲＢが前記ロングフォーマットＰＵＣＣＨを搬送するために集約される場合、前記ｇＮＢが１セットのタイムスロット、単一のタイムスロットにおける１セットのＰＲＢ、及び少なくとも２つのタイムスロットにおける１セットのＰＲＢのうちの一つに関する集約設定における少なくとも一部の集約設定の情報をユーザ装置（ＵＥ）に通知することは、
前記ｇＮＢがＵＣＩを搬送するための単一のタイムスロットにおける集約されるＰＲＢの総数、単一のタイムスロットにおける集約される各ＰＲＢの位置、及び集約されるシンボルの総数のうちの少なくとも一つの情報を前記ＵＥに通知することを含むことを特徴とする
請求項１に記載の集約方法。
【請求項６】
少なくとも２つのタイムスロットにおける１セットのＰＲＢが前記ロングフォーマットＰＵＣＣＨを搬送するために集約される場合、前記ｇＮＢが１セットのタイムスロット、単一のタイムスロットにおける１セットのＰＲＢ、及び少なくとも２つのタイムスロットにおける１セットのＰＲＢのうちの一つに関する集約設定をＵＥに通知することは、
前記ｇＮＢがＵＣＩを搬送するための集約されるタイムスロットの総数、ＵＣＩを搬送するための集約される各タイムスロットの構造、ＵＣＩを搬送するための各タイムスロットにおける集約されるＰＲＢの総数、ＵＣＩを搬送するための各タイムスロットにおける集約される各ＰＲＢの位置、及びＵＣＩを搬送するための集約されるシンボルの総数のうちの少なくとも一つの情報を前記ＵＥに通知することを含むことを特徴とする
請求項１に記載の集約方法。
【請求項７】
前記ｇＮＢが１セットのタイムスロット、単一のタイムスロットにおける１セットのＰＲＢ、及び少なくとも２つのタイムスロットにおける１セットのＰＲＢのうちの一つに関する集約設定における少なくとも一部の集約設定の情報をユーザ装置（ＵＥ）に通知することは、
前記ｇＮＢがルックアップテーブルのインデックスを前記ＵＥに通知し、ここで、前記ルックアップテーブルが前記ＵＥにおいて予め設定され、又は前記ルックアップテーブルが上位層シグナリングを介して前記ＵＥに送信され、前記ルックアップテーブルが集約設定及び集約設定のインデックスを含むことを特徴とする
請求項１又は２に記載の集約方法。
【請求項８】
前記ｇＮＢが１セットのタイムスロット、単一のタイムスロットにおける１セットのＰＲＢ、及び少なくとも６つのタイムスロットにおける１セットのＰＲＢのうちの一つに関する集約設定における少なくとも一部の集約設定の情報をユーザ装置（ＵＥ）に通知することは、
前記ｇＮＢが動的に下位層シグナリングを介し、半静的に上位層シグナリングの組み合わせ、又は下位層シグナリングと上位層シグナリングの組み合わせを介して１セットのタイムスロット、単一のタイムスロットにおける１セットのＰＲＢと少なくとも２つのタイムスロットにおける１セットのＰＲＢのうちの一つの前記集約設定の少なくとも一部の集約設定の情報を前記ＵＥに通知することを含むことを特徴とする
請求項１−６のいずれか一項に記載の集約方法。
【請求項９】
集約方法であって、
ユーザ装置（ＵＥ）が１セットのタイムスロット、単一のタイムスロットにおける１セットの物理リソースブロック（ＰＲＢ）と少なくとも２つのタイムスロットにおける１セットのＰＲＢのうちの一つに関する集約設定における少なくとも一部の集約設定の情報を基地局（ｇＮＢ）から受信することと、
前記ＵＥが前記集約設定に従って１セットのタイムスロット、単一のタイムスロットにおける１セットのＰＲＢ、及び少なくとも２つのタイムスロットにおける１セットのＰＲＢのうちの一つを集約することと、
前記ＵＥが１セットのタイムスロット、単一のタイムスロットにおける１セットのＰＲＢ、及び少なくとも２つのタイムスロットにおける１セットのＰＲＢのうちの集約された少なくとも一つを介してロングフォーマット物理アップリンク制御チャネル（ＰＵＣＣＨ）を前記ｇＮＢに送信することとを含む、前記集約方法。
【請求項１０】
前記ロングフォーマットＰＵＣＣＨがアップリンク制御情報（ＵＣＩ）を搬送するための１  ＰＲＢ  ｘ  Ｎ個のシンボルの時間周波数リソースをサポートする場合、前記１セットのタイムスロット、前記単一のタイムスロットにおける１セットのＰＲＢ、及び前記少なくとも２つのタイムスロットにおける１セットのＰＲＢのうちの一つがＵＣＩを搬送するための約１  ＰＲＢ  ｘ  Ｎ個のシンボルの時間周波数リソースをサポートするために集約され、ここで、Ｎが正整数であることを特徴とする
請求項９に記載の集約方法。
【請求項１１】
１セットのタイムスロットが前記ロングフォーマットＰＵＣＣＨを搬送するために集約される場合、前記ＵＥが１セットのタイムスロット、単一のタイムスロットにおける１セットのＰＲＢ、及び少なくとも２つのタイムスロットにおける１セットのＰＲＢのうちの一つに関する集約設定における少なくとも一部の集約設定の情報をｇＮＢから受信することは、
前記ＵＥがＵＣＩを搬送するための集約されるタイムスロットの総数、ＵＣＩを搬送するための集約される各タイムスロットの構造、及びＵＣＩを搬送するための集約されるシンボルの総数のうちの少なくとも一つの情報を前記ｇＮＢから受信することを含むことを特徴とする
請求項９に記載の集約方法。
【請求項１２】
前記ＵＥがＵＣＩを搬送するための集約されるタイムスロットの総数、ＵＣＩを搬送するための集約される各タイムスロットの構造、及びＵＣＩを搬送するための集約されるシンボルの総数のうちの少なくとも一つの情報を受信することは、
前記ＵＥがＵＣＩを搬送するための集約されるタイムスロットの総数とＵＣＩを搬送するための集約されるシンボルの総数を受信することと、
前記ＵＥが共通制御チャネルを介して集約される各タイムスロットの構造を前記ｇＮＢから受信することとを含むことを特徴とする
請求項１１に記載の集約方法。
【請求項１３】
単一のタイムスロットにおける１セットのＰＲＢが前記ロングフォーマットＰＵＣＣＨを搬送するために集約される場合、前記ＵＥが１セットのタイムスロット、単一のタイムスロットにおける１セットのＰＲＢ、及び少なくとも２つのタイムスロットにおける１セットのＰＲＢのうちの一つに関する集約設定における少なくとも一部の集約設定の情報をｇＮＢから受信することは、
前記ＵＥがＵＣＩを搬送するための単一のタイムスロットにおける集約されるＰＲＢの総数、単一のタイムスロットにおける集約される各ＰＲＢの位置、及び集約されるシンボルの総数のうちの少なくとも一つの情報を前記ｇＮＢから受信することを含むことを特徴とする
請求項９に記載の集約方法。
【請求項１４】
少なくとも２つのタイムスロットにおける１セットのＰＲＢが前記ロングフォーマットＰＵＣＣＨを搬送するために集約される場合、前記ＵＥが１セットのタイムスロット、単一のタイムスロットにおける１セットの物理リソースブロック（ＰＲＢ）、及び少なくとも２つのタイムスロットにおける１セットのＰＲＢのうちの一つに関する集約設定における少なくとも一部の集約設定の情報をｇＮＢから受信することは、
前記ＵＥがＵＣＩを搬送するための集約されるタイムスロットの総数、ＵＣＩを搬送するための集約される各タイムスロットの構造、ＵＣＩを搬送するための各タイムスロットにおける集約されるＰＲＢの総数、ＵＣＩを搬送するための各タイムスロットにおける集約される各ＰＲＢの位置、及びＵＣＩを搬送するための集約されるシンボルの総数のうちの少なくとも一つの情報を前記ｇＮＢから受信することを含むことを特徴とする
請求項９に記載の集約方法。
【請求項１５】
前記ＵＥが１セットのタイムスロット、単一のタイムスロットにおける１セットのＰＲＢ、及び少なくとも２つのタイムスロットにおける１セットのＰＲＢのうちの一つに関する集約設定における少なくとも一部の集約設定の情報をｇＮＢから受信することは、
前記ＵＥがルックアップテーブルのインデックスを前記ｇＮＢから受信し、ここで、前記ルックアップテーブルが前記ＵＥにおいて予め設定され、又は前記ルックアップテーブルが上位層シグナリングを介して前記ＵＥに送信され、前記ルックアップテーブルが集約設定及び集約設定のインデックスを含むことを含み、
ここで、前記ＵＥが前記ｇＮＢからの集約設定に従って１セットのタイムスロット、単一のタイムスロットにおける１セットのＰＲＢ、及び少なくとも２つのタイムスロットにおける１セットのＰＲＢのうちの一つを集約する前に、前記集約方法はさらに、
前記ＵＥが前記ｇＮＢから受信されたインデックスに基づいて前記ルックアップテーブルから集約設定を取り出すことを含むことを特徴とする
請求項９又は１０に記載の集約方法。
【請求項１６】
前記ＵＥが１セットのタイムスロット、単一のタイムスロットにおける１セットの物理リソースブロック（ＰＲＢ）、及び少なくとも２つのタイムスロットにおける１セットのＰＲＢのうちの一つに関する集約設定における少なくとも一部の集約設定の情報をｇＮＢから受信することは、
前記ＵＥが動的に下位層シグナリングを介し、半静的に上位層シグナリングの組み合わせ、又は下位層シグナリングと上位層シグナリングの組み合わせを介して１セットのタイムスロット、単一のタイムスロットにおける１セットの物理リソースブロック（ＰＲＢ）と少なくとも２つのタイムスロットにおける１セットのＰＲＢのうちの一つのる集約設定に対する少なくとも一部の集約設定の情報を前記ｇＮＢから受信することを含むことを特徴とする
請求項９−１４のいずれか一項に記載の集約方法。
【請求項１７】
基地局（ｇＮＢ）であって、
コンピュータプログラム命令を記憶する少なくとも一つのコンピュータ可読メモリと、
少なくとも一つのプロセッサとを備え、
ここで、前記少なくとも一つのプロセッサによって前記コンピュータプログラム命令を実行する場合、前記ｇＮＢは、
集約設定における少なくとも一部の集約設定の情報をユーザ装置（ＵＥ）に送信し、前記集約設定が１セットのタイムスロット、単一のタイムスロットにおける１セットの物理リソースブロック（ＰＲＢ）、及び少なくとも２つのタイムスロットにおける１セットのＰＲＢのうちの一つであり、
前記集約設定に従って集約された前記１セットのタイムスロット、前記単一のタイムスロットにおける１セットのＰＲＢ、及び前記少なくとも２つのタイムスロットにおける１セットのＰＲＢのうちの一つに搬送されたロングフォーマット物理アップリンク制御チャネル（ＰＵＣＣＨ）を前記ＵＥから受信する、前記ｇＮＢ）。
【請求項１８】
前記ロングフォーマットＰＵＣＣＨがアップリンク制御情報（ＵＣＩ）を搬送するための１  ＰＲＢ  ｘ  Ｎ個のシンボルの時間周波数リソースをサポートする場合、前記１セットのタイムスロット、前記単一のタイムスロットにおける１セットのＰＲＢ、及び少なくとも２つのタイムスロットにおける１セットのＰＲＢのうちの一つがＵＣＩを搬送するための約１  ＰＲＢ  ｘ  Ｎ個のシンボルの時間周波数リソースをサポートするために集約され、ここで、Ｎが正整数であることを特徴とする
請求項１７に記載のｇＮＢ。
【請求項１９】
１セットのタイムスロットが前記ロングフォーマットＰＵＣＣＨを搬送するために集約される場合、前記コンピュータプログラム命令を有する前記コンピュータ可読メモリと前記少なくとも一つのプロセッサは、前記ｇＮＢに、
ＵＣＩを搬送するための集約されるタイムスロットの総数、ＵＣＩを搬送するための集約される各タイムスロットの構造、及びＵＣＩを搬送するための集約されるシンボルの総数のうちの少なくとも一つの情報を前記ＵＥに通知させるように構成されることを特徴とする
請求項１７に記載のｇＮＢ。
【請求項２０】
前記コンピュータプログラム命令を有する前記コンピュータ可読メモリと前記少なくとも一つのプロセッサは、前記ｇＮＢに、
ＵＣＩを搬送するための集約されるタイムスロットの総数とＵＣＩを搬送するための集約されるシンボルの総数を前記ＵＥに通知させるように構成され、
ここで、共通制御チャネルを介して集約される各タイムスロットの構造を前記ＵＥに通知することを特徴とする
請求項１９に記載のｇＮＢ。
【請求項２１】
単一のタイムスロットにおける１セットのＰＲＢが前記ロングフォーマットＰＵＣＣＨを搬送するために集約される場合、前記コンピュータプログラム命令を有するコンピュータ可読メモリと前記少なくとも一つのプロセッサは、前記ｇＮＢに、
ＵＣＩを搬送するための単一のタイムスロットにおける集約されるＰＲＢの総数、単一のタイムスロットにおける集約される各ＰＲＢの位置、及び集約されるシンボルの総数のうちの少なくとも一つの情報を前記ＵＥに通知させるように構成されることを特徴とする
請求項１７に記載のｇＮＢ。
【請求項２２】
少なくとも２つのタイムスロットにおける１セットのＰＲＢが前記ロングフォーマットＰＵＣＣＨを搬送するために集約される場合、前記コンピュータプログラム命令を有するコンピュータ可読メモリと前記少なくとも一つのプロセッサは、前記ｇＮＢに、
ＵＣＩを搬送するための集約されるタイムスロットの総数、ＵＣＩを搬送するための集約される各タイムスロットの構造、ＵＣＩを搬送するための各タイムスロットにおける集約されるＰＲＢの総数、ＵＣＩを搬送するための各タイムスロットにおける集約される各ＰＲＢの位置、及びＵＣＩを搬送するための集約されるシンボルの総数のうちの少なくとも一つの情報を前記ＵＥに通知させるように構成されることを特徴とする
請求項１７に記載のｇＮＢ。
【請求項２３】
前記コンピュータプログラム命令を有するコンピュータ可読メモリと前記少なくとも一つのプロセッサは、前記ｇＮＢに、
ルックアップテーブルのインデックスを前記ＵＥに通知させるように構成され、ここで、前記ルックアップテーブルが前記ＵＥにおいて予め設定され、又は前記ルックアップテーブルが上位層シグナリングを介して前記ＵＥに送信され、前記ルックアップテーブルが集約設定及び集約設定のインデックスを含むことを特徴とする
請求項１７又は１８に記載のｇＮＢ。
【請求項２４】
前記コンピュータプログラム命令を有するコンピュータ可読メモリと前記少なくとも一つのプロセッサは、前記ｇＮＢに、
動的に下位層シグナリングを介し、半静的に上位層シグナリングの組み合わせ、又は下位層シグナリングと上位層シグナリングの組み合わせを介して１セットのタイムスロット、単一のタイムスロットにおける１セットのＰＲＢと少なくとも２つのタイムスロットにおける１セットのＰＲＢのうちの一つに関する集約設定における少なくとも一部の集約設定の情報を前記ＵＥに通知させるように構成されることを特徴とする
請求項１７−２２のいずれか一項に記載のｇＮＢ。
【請求項２５】
ユーザ装置（ＵＥ）であって、
コンピュータプログラム命令を記憶する少なくとも一つのコンピュータ可読メモリと、
少なくとも一つのプロセッサとを備え、
ここで、前記少なくとも一つのプロセッサによって前記コンピュータプログラム命令を実行する場合、前記ＵＥに、
集約設定における少なくとも一部の集約設定の情報を基地局（ｇＮＢ）から受信させ、前記集約設定が１セットのタイムスロット、単一のタイムスロットにおける１セットの物理リソースブロック（ＰＲＢ）、及び少なくとも２つのタイムスロットにおける１セットのＰＲＢのうちの一つであり、
前記集約設定に従って１セットのタイムスロット、単一のタイムスロットにおける１セットの物理リソースブロック（ＰＲＢ）、及び少なくとも２つのタイムスロットにおける１セットのＰＲＢのうちの一つを集約させ、
前記１セットのタイムスロット、前記単一のタイムスロットにおける１セットのＰＲＢと少なくとも２つのタイムスロットにおける１セットのＰＲＢのうちの集約された少なくとも一つを介してロングフォーマット物理アップリンク制御チャネル（ＰＵＣＣＨ）を前記ｇＮＢに送信させる、前記ＵＥ。
【請求項２６】
前記ロングフォーマットＰＵＣＣＨがアップリンク制御情報（ＵＣＩ）を搬送するための１  ＰＲＢ  ｘ  Ｎ個のシンボルの時間周波数リソースをサポートする場合、前記コンピュータプログラム命令を有する前記コンピュータ可読メモリと前記少なくとも一つのプロセッサは、前記ＵＥに、
前記単一のタイムスロットにおける１セットのＰＲＢ、又は前記少なくとも２つのタイムスロットにおける１セットのＰＲＢを、ＵＣＩを搬送するための約１  ＰＲＢ  ｘ  Ｎ個のシンボルの時間周波数リソースをサポートするように集約させるように構成されることを特徴とする
請求項２５に記載のＵＥ。
【請求項２７】
１セットのタイムスロットが前記ロングフォーマットＰＵＣＣＨを搬送するために集約される場合、前記コンピュータプログラム命令を有する前記コンピュータ可読メモリと前記少なくとも一つのプロセッサは、前記ＵＥに、
ＵＣＩを搬送するための集約されるタイムスロットの総数、ＵＣＩを搬送するための集約される各タイムスロットの構造、及びＵＣＩを搬送するための集約されるシンボルの総数のうちの少なくとも一つの情報を前記ｇＮＢから受信させるように構成されることを特徴とする
請求項２５に記載のＵＥ。
【請求項２８】
前記コンピュータプログラム命令を有する前記コンピュータ可読メモリと前記少なくとも一つのプロセッサは、前記ＵＥに、
ＵＣＩを搬送するための集約されるタイムスロットの総数とＵＣＩを搬送するための集約されるシンボルの総数を前記ｇＮＢから受信させ、
共通制御チャネルを集約される各タイムスロットの構造を介して受信させるように構成されることを特徴とする
請求項２７に記載のＵＥ。
【請求項２９】
単一のタイムスロットにおける１セットのＰＲＢが前記ロングフォーマットＰＵＣＣＨを搬送するために集約される場合、前記コンピュータプログラム命令を有する前記コンピュータ可読メモリと前記少なくとも一つのプロセッサは、前記ＵＥに、
ＵＣＩを搬送するための単一のタイムスロットにおける集約されるＰＲＢの総数、単一のタイムスロットにおける集約される各ＰＲＢの位置、及び集約されるシンボルの総数のうちの少なくとも一つの情報を前記ｇＮＢから受信させるように構成されることを特徴とする
請求項２５に記載のＵＥ。
【請求項３０】
少なくとも２つのタイムスロットにおける１セットのＰＲＢが前記ロングフォーマットＰＵＣＣＨを搬送するために集約される場合、前記コンピュータプログラム命令を有する前記コンピュータ可読メモリと前記少なくとも一つのプロセッサは、前記ＵＥに、
ＵＣＩを搬送するための集約されるタイムスロットの総数、ＵＣＩを搬送するための集約される各タイムスロットの構造、ＵＣＩを搬送するための各タイムスロットにおける集約されるＰＲＢの総数、ＵＣＩを搬送するための各タイムスロットにおける集約される各ＰＲＢの位置、及びＵＣＩを搬送するための集約されるシンボルの総数のうちの少なくとも一つの情報を前記ｇＮＢから受信させるように構成されることを特徴とする
請求項２５に記載のＵＥ。
【請求項３１】
前記コンピュータプログラム命令を有する前記コンピュータ可読メモリと前記少なくとも一つのプロセッサは、前記ＵＥに、
ルックアップテーブルのインデックスを前記ｇＮＢから受信させ、ここで、前記ルックアップテーブルが前記ＵＥにおいて予め設定され、又は前記ルックアップテーブルが上位層シグナリングを介して前記ＵＥに送信され、前記ルックアップテーブルが集約設定及び集約設定のインデックスを含み、
前記ＵＥが前記集約設定に従って１セットのタイムスロット、単一のタイムスロットにおける１セットのＰＲＢ、及び少なくとも２つのタイムスロットにおける１セットのＰＲＢのうちの一つを集約する前に、前記ｇＮＢから受信されたインデックスに基づいて前記ルックアップテーブルから集約設定を取り出させるように構成されることを特徴とする
請求項２５又は２６に記載のＵＥ。
【請求項３２】
前記コンピュータプログラム命令を有する前記コンピュータ可読メモリと前記少なくとも一つのプロセッサは、前記ＵＥに、
動的に下位層シグナリングを介し、半静的に上位層シグナリングの組み合わせ、又は下位層シグナリングと上位層シグナリングの組み合わせを介して１セットのタイムスロット、単一のタイムスロットにおける１セットの物理リソースブロック（ＰＲＢ）と少なくとも２つのタイムスロットにおける１セットのＰＲＢのうちの一つに関する集約設定における少なくとも一部の集約設定の情報を前記ｇＮＢから受信させるように構成されることを特徴とする
請求項２５−３０のいずれか一項に記載のＵＥ。
【請求項３３】
基地局（ｇＮＢ）であって、
集約設定における少なくとも一部の集約設定の情報をユーザ装置（ＵＥ）に送信するように構成され、前記集約設定が１セットのタイムスロット、単一のタイムスロットにおける１セットの物理リソースブロック（ＰＲＢ）、及び少なくとも２つのタイムスロットにおける１セットのＰＲＢのうちの一つであるシグナリングモジュールと、
前記集約設定に従って集約された前記１セットのタイムスロット、前記単一のタイムスロットにおける１セットのＰＲＢ、及び少なくとも２つのタイムスロットにおける１セットのＰＲＢのうちの一つに搬送されたロングフォーマット物理アップリンク制御チャネル（ＰＵＣＣＨ）を前記ＵＥから受信するように構成される取得モジュールとを備える、前記ｇＮＢ。
【請求項３４】
ユーザ装置（ＵＥ）であって、
集約設定における少なくとも一部の集約設定の情報を基地局（ｇＮＢ）から受信するように構成され、前記集約設定が１セットのタイムスロット、単一のタイムスロットにおける１セットの物理リソースブロック（ＰＲＢ）、及び少なくとも２つのタイムスロットにおける１セットのＰＲＢのうちの一つである取得モジュールと、
前記集約設定に従って１セットのタイムスロット、単一のタイムスロットにおける１セットのＰＲＢと少なくとも２つのタイムスロットにおける１セットのＰＲＢのうちの一つを集約するように構成される集約モジュールと、
１セットのタイムスロット、単一のタイムスロットにおける１セットのＰＲＢ、及び少なくとも２つのタイムスロットにおける１セットのＰＲＢのうちの集約された少なくとも一つを介してロングフォーマット物理アップリンク制御チャネル（ＰＵＣＣＨ）を前記ｇＮＢに送信するように構成される送信モジュールとを備える、前記ＵＥ。
【請求項３５】
非一時的コンピュータ可読記憶媒体であって、
命令を記憶し、プロセッサによって前記命令を実行する場合、前記プロセッサが請求項１−８のいずれか一項に記載の集約方法を実行する、前記非一時的コンピュータ可読記憶媒体。
【請求項３６】
非一時的コンピュータ可読記憶媒体であって、
命令を記憶し、プロセッサによって前記命令を実行する場合、前記プロセッサが請求項９−１６のいずれか一項に記載の集約方法を実行する、前記非一時的コンピュータ可読記憶媒体。
【請求項３７】
集約方法であって、
ユーザ装置（ＵＥ）がアップリンク制御情報（ＵＣＩ）を搬送するための集約されるタイムスロットの総数及び各タイムスロットの構造のうちの少なくとも１つの情報を取得することと、
前記ＵＥが集約されるタイムスロットの総数及び各タイムスロットの構造のうちの少なくとも１つの情報に基づいて複数のタイムスロットを集約することと、
前記ＵＥが集約されたタイムスロットを介して基地局（ｇＮＢ）へ物理アップリンク制御チャネル（ＰＵＣＣＨ）を送信することとを含む、前記集約方法。
【請求項３８】
前記ＵＥが集約されるタイムスロットにおける１番目のタイムスロットを取得することをさらに含み、
ここで、前記ＵＥが集約されるタイムスロットの総数と各タイムスロットの構造のうちの少なくとも一つの情報に基づいて複数のタイムスロットを集約することは、前記ＵＥが集約されるタイムスロットの総数、各タイムスロットの構造と集約されるタイムスロットにおける１番目のタイムスロットのうちの少なくとも一つに基づいて複数のタイムスロットを集約することを含むことを特徴とする
請求項３７に記載の集約方法。
【請求項３９】
ＵＥがＵＣＩを搬送するための集約されるタイムスロットの総数と各タイムスロットの構造のうちの少なくとも一つの情報を取得することは、前記ＵＥが集約されるタイムスロットの総数を前記基地局（ｇＮＢ）から取得することを含むことを特徴とする
請求項３７又は３８に記載の集約方法。
【請求項４０】
前記ＵＥがＵＣＩを搬送するための集約されるタイムスロットの総数と各タイムスロットの構造のうちの少なくとも一つの情報を取得することは、
前記ＵＥが集約される各タイムスロットの構造をｇＮＢから取得すること、又は
前記ＵＥが集約される各タイムスロットの構造をプロトコルに従って取得することを含むことを特徴とする
請求項３７−３９のいずれか一項に記載の集約方法。
【請求項４１】
前記ＵＥが複数のタイムスロットを集約することは、
各タイムスロットにおける一つ又は複数の物理リソースブロック（ＰＲＢ）を集約することで複数のタイムスロットを集約し、前記一つ又は複数のＰＲＢが同じ方式で各タイムスロットに位置することを含むことを特徴とする
請求項３７−４０のいずれか一項に記載の集約方法。
【請求項４２】
前記ＵＥが複数のタイムスロットを集約することは、
各タイムスロットにおける一つ又は複数の物理リソースブロック（ＰＲＢ）を集約することで複数のタイムスロットを集約し、前記一つ又は複数のＰＲＢが異なる方式で各タイムスロットに位置することを含むことを特徴とする
請求項３７−４０のいずれか一項に記載の集約方法。
【請求項４３】
前記ＰＵＣＣＨはロングフォーマットＰＵＣＣＨであることを特徴とする
請求項３７−４２のいずれか一項に記載の集約方法。
【請求項４４】
前記ロングフォーマットＰＵＣＣＨがアップリンク制御情報（ＵＣＩ）を搬送するための１  ＰＲＢ  ｘ  Ｎ個のシンボルの時間周波数リソースをサポートする場合、前記複数のタイムスロットがＵＣＩを搬送するための約１  ＰＲＢ  ｘ  Ｎ個のシンボルの時間周波数リソースをサポートするために集約され、ここで、Ｎが正整数であることを特徴とする
請求項４３に記載の集約方法。
【請求項４５】
集約方法であって、
基地局（ｇＮＢ）がアップリンク制御情報（ＵＣＩ）を搬送するための集約されるタイムスロットの総数及び各タイムスロットの構造のうちの少なくとも１つの情報をユーザ装置（ＵＥ）に通知することと、
前記ｇＮＢが集約されるタイムスロットの総数及び各タイムスロットの構造のうちの少なくとも１つの情報に基づいて集約された複数のタイムスロットを介して前記ＵＥから物理アップリンク制御チャネル（ＰＵＣＣＨ）を受信することとを含む、前記集約方法。
【請求項４６】
前記ｇＮＢが集約されるタイムスロットにおける１番目のタイムスロットの情報を通知することをさらに含み、
ここで、集約されるタイムスロットの総数、各タイムスロットの構造、及び集約されるタイムスロットの１番目のタイムスロットの情報のうちの少なくとも一つの情報に基づいて前記複数のタイムスロットを集約することを特徴とする
請求項４５に記載の集約方法。
【請求項４７】
前記ｇＮＢが集約されるタイムスロットの総数及び各タイムスロットの構造のうちの少なくとも１つの情報に基づいて集約された複数のタイムスロットを介して前記ＵＥからＰＵＣＣＨを受信することは、
前記ｇＮＢが各タイムスロットにおける一つ又は複数の物理リソースブロック（ＰＲＢ）を集約することで集約されたタイムスロットを介して前記ＵＥからＰＵＣＣＨを受信し、前記一つ又は複数のＰＲＢが同じ方式で各タイムスロットに位置することを含むことを特徴とする
請求項４５又は４６のいずれか一項に記載の集約方法。
【請求項４８】
前記ｇＮＢが集約されるタイムスロットの総数及び各タイムスロットの構造のうちの少なくとも１つの情報に基づいて集約された複数のタイムスロットを介して前記ＵＥからＰＵＣＣＨを受信することは、
前記ｇＮＢが各タイムスロットにおける一つ又は複数の物理リソースブロック（ＰＲＢ）を集約することで集約されたタイムスロットを介して前記ＵＥからＰＵＣＣＨを受信し、前記一つ又は複数のＰＲＢが異なる方式で各タイムスロットに位置することを含むことを特徴とする
請求項４５又は４６に記載の集約方法。
【請求項４９】
前記ＰＵＣＣＨはロングフォーマットＰＵＣＣＨであることを特徴とする
請求項４５−４８のいずれか一項に記載の集約方法。
【請求項５０】
前記ロングフォーマットＰＵＣＣＨがアップリンク制御情報（ＵＣＩ）を搬送するための１  ＰＲＢ  ｘ  Ｎ個のシンボルの時間周波数リソースをサポートする場合、前記複数のタイムスロットがＵＣＩを搬送するための約１  ＰＲＢ  ｘ  Ｎ個のシンボルの時間周波数リソースをサポートするために集約され、ここで、Ｎが正整数であることを特徴とする
請求項４９に記載の集約方法。
【請求項５１】
ユーザ装置（ＵＥ）であって、
アップリンク制御情報（ＵＣＩ）を搬送するための集約されるタイムスロットの総数及び各タイムスロットの構造のうちの少なくとも１つの情報を取得するように構成される取得モジュールと、
集約されるタイムスロットの総数及び各タイムスロットの構造のうちの少なくとも１つの情報に基づいて複数のタイムスロットを集約するように構成される集約モジュールと、
集約されたタイムスロットを介して基地局（ｇＮＢ）へ物理アップリンク制御チャネル（ＰＵＣＣＨ）を送信するように構成される送信モジュールとを備える、前記ＵＥ。
【請求項５２】
前記取得モジュールはさらに集約されるタイムスロットにおける１番目のタイムスロットを取得するように構成され、ここで、前記集約モジュールは集約されるタイムスロットの総数、各タイムスロットの構造と集約されるタイムスロットにおける１番目のタイムスロットの情報のうちの少なくとも一つの情報に基づいて複数のタイムスロットを集約するように構成されることを特徴とする
請求項５１に記載のＵＥ。
【請求項５３】
前記取得モジュールは、
集約されるタイムスロットの総数を前記基地局（ｇＮＢ）から取得するように構成されることを特徴とする
請求項５１又は５２に記載のＵＥ。
【請求項５４】
前記取得モジュールは、
集約される各タイムスロットの構造を取得し、又は
集約される各タイムスロットの構造をプロトコルに従って取得するように構成されることを特徴とする
請求項５１−５３のいずれか一項に記載のＵＥ。
【請求項５５】
前記集約モジュールは、
各タイムスロットにおける一つ又は複数の物理リソースブロック（ＰＲＢ）を集約することで複数のタイムスロットを集約するように構成され、前記一つ又は複数のＰＲＢが同じ方式で各タイムスロットに位置することを特徴とする
請求項５１−５４のいずれか一項に記載のＵＥ。
【請求項５６】
前記集約モジュールは、
各タイムスロットにおける一つ又は複数の物理リソースブロック（ＰＲＢ）を集約することで複数のタイムスロットを集約するように構成され、前記一つ又は複数のＰＲＢが異なる方式で各タイムスロットに位置することを特徴とする
請求項５１−５４のいずれか一項に記載のＵＥ。
【請求項５７】
前記ＰＵＣＣＨはロングフォーマットＰＵＣＣＨであることを特徴とする
請求項５１−５６のいずれか一項に記載のＵＥ。
【請求項５８】
前記ロングフォーマットＰＵＣＣＨがＵＣＩを搬送するための１  ＰＲＢ  ｘ  Ｎ個のシンボルの時間周波数リソースをサポートする場合、前記複数のタイムスロットがＵＣＩを搬送するための約１  ＰＲＢ  ｘ  Ｎ個のシンボルの時間周波数リソースをサポートするために集約され、ここで、Ｎが正整数であることを特徴とする
請求項５７に記載のＵＥ。
【請求項５９】
基地局（ｇＮＢ）であって、
アップリンク制御情報（ＵＣＩ）を搬送するための集約されるタイムスロットの総数及び各タイムスロットの構造のうちの少なくとも１つの情報をユーザ装置（ＵＥ）に通知するように構成されるシグナリングモジュールと、
集約されるタイムスロットの総数及び各タイムスロットの構造のうちの少なくとも１つの情報に基づいて集約された複数のタイムスロットを介して前記ＵＥから物理アップリンク制御チャネル（ＰＵＣＣＨ）を受信するように構成される取得モジュールとを備える、前記ｇＮＢ。
【請求項６０】
前記シグナリングモジュールはさらに集約されるタイムスロットにおける１番目のタイムスロットを通知するように構成され、ここで、前記取得モジュールは集約されるタイムスロットの総数、各タイムスロットの構造と集約されるタイムスロットにおける１番目のタイムスロットの情報のうちの少なくとも一つの情報に基づいて集約された複数のタイムスロットを介して前記ＵＥからＰＵＣＣＨを受信するように構成されることを特徴とする
請求項５９に記載のｇＮＢ。
【請求項６１】
前記取得モジュールは、
各タイムスロットにおける一つ又は複数の物理リソースブロック（ＰＲＢ）を集約することで集約されたタイムスロットを介して前記ＵＥからＰＵＣＣＨを受信するように構成され、前記一つ又は複数のＰＲＢが同じ方式で各タイムスロットに位置することを特徴とする
請求項５９又は６０に記載のｇＮＢ。
【請求項６２】
前記取得モジュールは、
各タイムスロットにおける一つ又は複数の物理リソースブロック（ＰＲＢ）を集約することで集約されたタイムスロットを介して前記ＵＥからＰＵＣＣＨを受信するように構成され、前記一つ又は複数のＰＲＢが異なる方式で各タイムスロットに位置することを特徴とする
請求項５９又は６０に記載のｇＮＢ。
【請求項６３】
前記ＰＵＣＣＨはロングフォーマットＰＵＣＣＨであることを特徴とする
請求項５９−６２のいずれか一項に記載のｇＮＢ。
【請求項６４】
前記ロングフォーマットＰＵＣＣＨがＵＣＩを搬送するための１  ＰＲＢ  ｘ  Ｎ個のシンボルの時間周波数リソースをサポートする場合、前記複数のタイムスロットがＵＣＩを搬送するための約１  ＰＲＢ  ｘ  Ｎ個のシンボルの時間周波数リソースをサポートするために集約され、ここで、Ｎが正整数であることを特徴とする
請求項６３に記載のｇＮＢ。
【請求項６５】
非一時的コンピュータ可読記憶媒体であって、
命令を記憶し、プロセッサによって前記命令を実行する場合、前記プロセッサが請求項３７−４４のいずれか一項に記載の集約方法を実行する、前記非一時的コンピュータ可読記憶媒体。
【請求項６６】
非一時的コンピュータ可読記憶媒体であって、
命令を記憶し、プロセッサによって前記命令を実行する場合、前記プロセッサが請求項４５−５９のいずれか一項に記載の集約方法を実行する、前記非一時的コンピュータ可読記憶媒体。
【発明の詳細な説明】
【技術分野】
【０００１】
関連アプリケーションへの相互参照
本特許出願は、タイトルが「長持続時間を有するＮＲ  ＰＵＣＣＨに対するタイムスロット集約設計及び配置」であり、２０１７年３月１４日に出願された米国仮特許出願第６２４７１００２番号の優先権を主張し、該米国仮特許出願が参照によりその全文で本明細書に組み込まれる。
【０００２】
本開示は全体として通信分野に関し、具体的にタイムスロット／物理リソースブロック（ｐｈｙｓｉｃａｌ  ｒｅｓｏｕｒｃｅ  ｂｌｏｃｋ、ｐｒｂと略称）集約方法、基地局（ｇＮｏｄｅＢ、ｇＮＢと略称）、ユーザ装置（ｕｓｅｒ  ｅｑｕｉｐｍｅｎｔ、ＵＥと略称）及び記憶媒体に関する。
【背景技術】
【０００３】
第五世代新無線（５ｔｈ  Ｇｅｎｅｒａｔｉｏｎ  Ｎｅｗ  Ｒａｄｉｏ、５Ｇ  ＮＲと略称）システムでは、いくつかの新しい設計要求がある。例えば、一つのタイムスロットはアップリンク部分とダウンリンク部分に分けられてもよい。ダウンリンク部分が一つ又は複数のシンボルで構成され、そしてタイムスロットの開始位置にダウンリンク部分をｇＮＢからＵＥに送信することができ、ここで、ｇＮＢが第四世代長期進化（Ｌｏｎｇ  ｔｅｒｍ  ｅｖｏｌｕｔｉｏｎ、ＬＴＥと略称）における基地局に類似している。スイッチング期間（又はガード期間（ｇｕａｒｄ  ｐｅｒｉｏｄ、ＧＰと略称））はダウンリンク部分に続くことができ、ＧＰにおいて、ＵＥはダウンリンク受信からアップリンク送信へのスイッチングを完了する。アップリンク部分がスイッチング期間に続き、アップリンク部分において、ＵＥは一つ又は複数のアップリンクシンボルを送信する。この新しい構造は、ターンアラウンドタイム（ｔｕｒｎａｒｏｕｎｄ  ｔｉｍｅ）をＬＴＥのターンアラウンドタイムよりも短くすることができ、従って、ＮＲシステムの低遅延（ｌａｔｅｎｃｙ）の目標を達成する。しかしながら、このタイムスロットにおけるアップリンクシンボルの数がフルアップリンクタイムスロットのアップリンクシンボルより小さい。フルアップリンクタイムスロットにおいて、全てのシンボルがアップリンク送信に用いられる。これはシステム設計の他の態様（例えば物理アップリンク制御チャネル（ＰＵＣＣＨ：ｐｈｙｓｉｃａｌ  ｕｐｌｉｎｋ  ｃｏｎｔｒｏｌ  ｃｈａｎｎｅｌ）カバレッジ）に対していくつかの課題を提案する。
【０００４】
背景技術で開示された情報は本開示の背景技術部分に対する理解を深めるためのものに過ぎず、したがって、背景技術における情報は当業者に知られている従来技術を含むがこれを構成しない可能性がある。
【発明の概要】
【発明が解決しようとする課題】
【０００５】
関連技術における問題を解決するために、本開示はＬＴＥと比較して少なくとも同じＰＵＣＣＨのカバレッジレートを達成できるタイムスロット／ＰＲＢ集約方法、ｇＮＢ、ＵＥ及び記憶媒体を提供する。
【課題を解決するための手段】
【０００６】
本開示の第一の態様による集約方法は、基地局（ｇＮＢ）が１セットのタイムスロット、単一のタイムスロットにおける物理リソースブロック（ＰＲＢ）、及び少なくとも２つのタイムスロットにおける１セットのＰＲＢのうちの一つに関する集約設定（ａｇｇｒｅｇａｔｉｏｎ  ｃｏｎｆｉｇｕｒａｔｉｏｎ）における少なくとも一部の集約設定の情報をユーザ装置（ＵＥ）に通知することと、前記ｇＮＢが前記集約設定に従って集約された前記１セットのタイムスロット、前記単一のタイムスロットにおける１セットのＰＲＢ、及び前記少なくとも２つのタイムスロットにおける１セットのＰＲＢのうちの一つに搬送されたロングフォーマット物理アップリンク制御チャネル（ＰＵＣＣＨ）を前記ＵＥから受信することとを含む。
【０００７】
本開示の第二の態様による集約方法は、ユーザ装置（ＵＥ）が１セットのタイムスロット、単一のタイムスロットにおける物理リソースブロック（ＰＲＢ）、及び少なくとも２つのタイムスロットにおける１セットのＰＲＢのうちの一つに関する集約設定における少なくとも一部の集約設定の情報を基地局（ｇＮＢ）から受信することと、前記ＵＥが前記集約設定に従って１セットのタイムスロット、単一のタイムスロットにおける１セットのＰＲＢ、及び少なくとも２つのタイムスロットにおける１セットのＰＲＢのうちの一つを集約することと、前記ＵＥが１セットのタイムスロット、単一のタイムスロットにおける１セットのＰＲＢ、及び少なくとも２つのタイムスロットの１セットのＰＲＢのうちの集約された少なくとも一つを介してロングフォーマット物理アップリンク制御チャネル（ＰＵＣＣＨ）を前記ｇＮＢに送信することとを含む。
【０００８】
本開示の第三の態様による基地局（ｇＮＢ）は、コンピュータプログラム命令を記憶するための少なくとも一つのコンピュータ可読メモリ、及び少なくとも一つのプロセッサを備え、ここで、前記少なくとも一つのプロセッサによって前記コンピュータプログラム命令を実行する場合、前記ｇＮＢに、集約設定における少なくとも一部の集約設定の情報をユーザ装置（ＵＥ）に送信させ、前記集約設定が１セットのタイムスロット、単一のタイムスロットにおける１セットの物理リソースブロック（ＰＲＢ）、及び少なくとも２つのタイムスロットにおける１セットのＰＲＢのうちの一つの集約設定であり、前記集約設定に従って集約された前記１セットのタイムスロット、前記単一のタイムスロットにおける１セットのＰＲＢ、及び前記少なくとも２つのタイムスロットにおける１セットのＰＲＢのうちの一つに搬送されたロングフォーマット物理アップリンク制御チャネル（ＰＵＣＣＨ）を前記ＵＥから受信させる。
【０００９】
本開示の第四の態様によるユーザ装置（ＵＥ）は、コンピュータプログラム命令を記憶するための少なくとも一つのコンピュータ可読メモリ、及び少なくとも一つのプロセッサを備え、ここで、前記少なくとも一つのプロセッサによって前記コンピュータプログラム命令を実行する場合、前記ＵＥに、集約設定における少なくとも一部の集約設定の情報を基地局（ｇＮＢ）から受信させ、前記集約設定が１セットのタイムスロット、単一のタイムスロットにおける１セットの物理リソースブロック（ＰＲＢ）、及び少なくとも２つのタイムスロットにおける１セットのＰＲＢのうちの一つであり、前記集約設定に従って１セットのタイムスロット、単一のタイムスロットにおける１セットの物理リソースブロック（ＰＲＢ）、及び少なくとも２つのタイムスロットにおける１セットのＰＲＢのうちの一つを集約し、前記１セットのタイムスロット、前記単一のタイムスロットにおける１セットのＰＲＢと少なくとも２つのタイムスロットにおける１セットのＰＲＢのうちの集約された少なくとも一つを介してロングフォーマット物理アップリンク制御チャネル（ＰＵＣＣＨ）をｇＮＢに送信させる。
【００１０】
本開示の第五の態様による基地局（ｇＮＢ）は、集約設定における少なくとも一部の集約設定の情報をユーザ装置（ＵＥ）に通知するように構成され、前記集約設定が１セットのタイムスロット、単一のタイムスロットにおける１セットの物理リソースブロック（ＰＲＢ）、及び少なくとも２つのタイムスロットにおける１セットのＰＲＢのうちの一つの集約設定であるシグナリングモジュールと、前記集約設定に従って集約された前記１セットのタイムスロット、前記単一のタイムスロットにおける１セットのＰＲＢ、及び前記少なくとも２つのタイムスロットにおける１セットのＰＲＢのうちの一つに搬送されたロングフォーマット物理アップリンク制御チャネル（ＰＵＣＣＨ）を前記ＵＥから受信するように構成される取得モジュールとを備える。
【００１１】
本開示の第六の態様によるユーザ装置（ＵＥ）は、集約設定における少なくとも一部の集約設定の情報を基地局（ｇＮＢ）から受信するように構成され、前記集約設定が１セットのタイムスロット、単一のタイムスロットにおける１セットの物理リソースブロック（ＰＲＢ）、及び少なくとも２つのタイムスロットにおける１セットのＰＲＢのうちの一つの集約設定である取得モジュールと、前記集約設定に従って１セットのタイムスロット、単一のタイムスロットにおける１セットのＰＲＢ、及び少なくとも２つのタイムスロットにおける１セットのＰＲＢのうちの一つを集約するように構成される集約モジュールと、１セットのタイムスロット、単一のタイムスロットにおける１セットのＰＲＢ、及び少なくとも２つのタイムスロットにおける１セットのＰＲＢのうちの集約された少なくとも一つを介してロングフォーマット物理アップリンク制御チャネル（ＰＵＣＣＨ）を前記ｇＮＢに送信するように構成される送信モジュールとを備える。
【００１２】
本開示の第七の態様による非一時的コンピュータ可読記憶媒体は、命令を記憶し、プロセッサによって前記命令を実行する場合、前記プロセッサが上述したｇＮＢによって実行される集約方法を実行する。
【００１３】
本開示の第八の態様による非一時的コンピュータ可読記憶媒体は、命令を記憶し、プロセッサによって前記命令を実行する場合、前記プロセッサが上述したＵＥによって実行される集約方法を実行する。
【００１４】
本開示の上記の様々な態様による技術的解決策は以下の有益な効果を達成することができる。本開示のいくつかの実施例によれば、ｇＮＢは、１セットのタイムスロット、単一のタイムスロットにおける１セットのＰＲＢと少なくとも２つのタイムスロットにおける１セットのＰＲＢのうちの一つに関する集約設定における少なくとも一部の集約設定の情報をユーザ装置（ＵＥ）に通知し、その後集約設定に従って集約された１セットのタイムスロット、単一のタイムスロットにおける１セットのＰＲＢ、及び少なくとも２つのタイムスロットにおける１セットのＰＲＢのうちの一つに搬送されたロングフォーマットＰＵＣＣＨをＵＥから受信する。このようにして、集約方法は、ＬＴＥと比較して少なくとも同じＰＵＣＣＨのカバレッジレートを達成することができる。
【００１５】
本開示の第九の態様による集約方法は、ユーザ装置（ＵＥ）がアップリンク制御情報（ＵＣＩ）を搬送するための集約されるタイムスロットの総数と各タイムスロットの構造のうちの少なくとも一つの情報を取得することと、前記ＵＥが集約されるタイムスロットの総数と各タイムスロットの構造のうちの少なくとも一つの情報に基づいて複数のタイムスロットを集約することと、前記ＵＥが集約されたタイムスロットを介して基地局（ｇＮＢ）へ物理アップリンク制御チャネル（ＰＵＣＣＨ）を送信することとを含む。
【００１６】
本開示の第十の態様による集約方法は、基地局（ｇＮＢ）がアップリンク制御情報（ＵＣＩ）を搬送するための集約されるタイムスロットの総数と各タイムスロットの構造のうちの少なくとも一つの情報をユーザ装置（ＵＥ）に通知することと、前記ｇＮＢが集約されるタイムスロットの総数と各タイムスロットの構造のうちの少なくとも一つの情報に基づいて集約された複数のタイムスロットを介して物理アップリンク制御チャネル（ＰＵＣＣＨ）を前記ＵＥから受信することとを含む。
【００１７】
本開示の第十一の態様によるユーザ装置（ＵＥ）は、アップリンク制御情報（ＵＣＩ）を搬送するための集約されるタイムスロットの総数と各タイムスロットの構造のうちの少なくとも一つの情報を取得するように構成される集約モジュールと、集約されるタイムスロットの総数と各タイムスロットの構造のうちの少なくとも一つの情報に基づいて複数のタイムスロットを集約するように構成される集約モジュールと、集約されたタイムスロットを介して基地局（ｇＮＢ）へ物理アップリンク制御チャネル（ＰＵＣＣＨ）を送信するように構成される送信モジュールとを備える。
【００１８】
本開示の第十二の態様による基地局（ｇＮＢ）は、アップリンク制御情報（ＵＣＩ）を搬送するための集約されるタイムスロットの総数と各タイムスロットの構造のうちの少なくとも一つの情報をユーザ装置（ＵＥ）に通知するように構成されるシグナリングモジュールと、集約されるタイムスロットの総数と各タイムスロットの構造のうちの少なくとも一つの情報に基づいて集約された複数のタイムスロットを介して物理アップリンク制御チャネル（ＰＵＣＣＨ）を前記ＵＥから受信するように構成される取得モジュールとを備える。
【００１９】
本開示の第十三の態様による非一時的コンピュータ可読記憶媒体は、命令を記憶し、プロセッサによって前記命令を実行する場合、前記プロセッサが第九の態様による集約方法を実行する。
【００２０】
本開示の第十四の態様による非一時的コンピュータ可読記憶媒体は、命令を記憶し、プロセッサによって前記命令を実行する場合、前記プロセッサが第十の態様による集約方法を実行する。
【００２１】
本開示の第九−第十四の態様による技術的解決策は以下の技術的効果を達成することができる。本開示のいくつかの実施例によれば、ユーザ装置（ＵＥ）はＵＣＩを搬送するための集約されるタイムスロットの総数、及び各タイムスロットの構造のうちの少なくとも一つの情報を取得し、集約されるタイムスロットの総数、及び各タイムスロットの構造のうちの少なくとも一つの情報に基づいて複数のタイムスロットを集約し、そして集約されたタイムスロットを介してｇＮＢへＰＵＣＣＨを送信する。このようにして、集約方法は、ＬＴＥと比較して少なくとも同じＰＵＣＣＨのカバレッジレートを達成することができる。
【００２２】
理解すべきものとして、以上の一般的な説明及び以下の詳細な説明は例示的に過ぎず本発明を限定するためのものではない。
【図面の簡単な説明】
【００２３】
【図１Ａ】本開示の実施例によるｇＮＢで実行される集約方法を示すフローチャートである。
【図１Ｂ】本開示の実施例によるｇＮＢで実行される集約方法を示すフローチャートである。
【図２】実施例によるロングフォーマットＰＵＣＣＨを搬送するための複数のタイムスロットの構造を示す図である。
【図３】他の実施例によるロングフォーマットＰＵＣＣＨを搬送するための複数のタイムスロットの構造を示す図である。
【図４】一つの実施例によるロングフォーマットＰＵＣＣＨを搬送するための単一のタイムスロットにおけるＰＲＢを示す図である。
【図５】一つの実施例によるロングフォーマットＰＵＣＣＨを搬送するための複数のタイムスロットにおけるＰＲＢを示す図である。
【図６】一つの実施例によるロングフォーマットＰＵＣＣＨを搬送するための複数のタイムスロットにおけるＰＲＢを示す図である。
【図７】他の実施例によるロングフォーマットＰＵＣＣＨを搬送するための複数のタイムスロットにおけるＰＲＢを示す図である。
【図８Ａ】本開示の実施例によるＵＥで実行される集約方法を示すフローチャートである。
【図８Ｂ】本開示の他の実施例によるＵＥで実行される集約方法を示すフローチャートである。
【図９Ｂ】本開示の実施例による相互作用するｇＮＢとＵＥで実行される集約方法のプロセスを示すフローチャートである。
【図１０】本開示の実施例によるｇＮＢの構成を示すブロック図である。
【図１１】本開示の実施例によるＵＥの構成を示すブロック図である。
【図１２】例示的な実施例によるＵＥの構造を示す図である。
【発明を実施するための形態】
【００２４】
添付図面が本明細書に組み込まれて本明細書の一部を構成し、説明書と共に本開示の実施例を示し、そして本開示の原理の説明に用いられる。
【００２５】
図面を参照しながら例示的な実施形態を詳細に説明する。しかしながら、様々な形態に従って例示的な実施形態を実現することができ、例示的な実施形態が本明細書に示される例に限定されると理解されるべきではない。逆に、これらの実施形態を提供することにより、本開示は例示的な実施形態の構想を当業者により詳細及び徹底的に伝えることができる。図面は本開示を概略的に示すに過ぎず、縮尺通りに描かれていない可能性がある。図面における同じ図面参照記号が同じ又は類似の部材を表すため、これらの部材についての繰り返し説明を省略する。
【００２６】
また、説明される特性、構造又は特徴を任意の適切な方式で１つ又は複数の実施形態に組み合わせることができる。以下の説明では、本開示の実施形態をより徹底的に理解するために多くの特定の詳細を提供する。しかしながら、当業者は、一つ又は複数の特定の詳細を削除する場合で本開示の技術的解決策を実施することができ、又は他の方法、部材、装置と操作などを採用することができることを理解する。他の場合、本開示の様々な態様を散らし又は曖昧にすることを避けるために、知られている構造、方法、装置、実施形態、材料又は操作が詳細に示され又は説明されていない。
【００２７】
図面におけるいくつかのブロック図は機能エンティティであり、そして必ずしも物理的又は論理的に独立したエンティティに対応しない。これらの機能エンティティは、ソフトウェアの形態で実施されてもよく、又は一つ又は複数のハードウェアモジュール又は集積回路で実施されてもよく、又はこれらの機能エンティティは、異なるネットワーク及び／又は異なるプロセッサ装置及び／又は異なるマイクロコントローラ装置で実施されてもよい。
【００２８】
第四世代長期進化（４Ｇ  ＬＴＥ）システムでは、ＰＵＣＣＨは、ＵＥから基地局（ｅＮＢ（ｅＮｏｄｅＢ）とも呼ばれる）へのＵＣＩの搬送に用いられる。ＵＣＩは、ダウンリンク物理共有チャネル（ＰＤＳＣＨ）の確認応答（Ａｃｋ）／否定応答（Ｎａｃｋ）、ＵＥによって測定されたチャネル状態情報（ｃｈａｎｎｅｌ  ｓｔａｔｅ  ｉｎｆｏｒｍａｔｉｏｎ、ＣＳＩと略称）とスケジューリングリクエスト（ＳＲ：ｓｃｈｅｄｕｌｉｎｇ  ｒｅｑｕｅｓｔ）を含む。ＰＵＣＣＨは、帯域幅のエッジの割り当てられた物理リソースブロック（ＰＲＢ）で伝送されてもよい。また、ＵＣＩは、アップリンクデータと共に物理アップリンク共有チャネルによって搬送されてもよい。
【００２９】
ＬＴＥと比較して少なくとも同じＰＵＣＣＨのカバレッジレートを達成するために、５Ｇ  ＮＲには、長持続時間を有するＰＵＣＣＨ（又はロングフォーマットを有するＰＵＣＣＨ、又は長ＰＵＣＣＨと略称され、以下ではロングフォーマットＰＵＣＣＨと呼ばれる）が導入され、これはＬＴＥカバレッジと同じ又はより良いＰＵＣＣＨカバレッジレートを達成することを意図する。５Ｇ  ＮＲのいくつかのスロットにおけるアップリンクシンボルがＬＴＥのスロットにおけるアップリンクシンボルよりも小さい可能性があるため、同じ又はより良いＰＵＣＣＨカバレッジレートをどのように達成するかはいくつかの課題をもたらす。タイムスロット集約は、この問題を解決する一つの方法である。タイムスロット集約とはロングフォーマットＰＵＣＣＨを搬送するための複数のタイムスロットを集約してＬＴＥのカバレッジレートと同じカバレッジレート又はＬＴＥのカバレッジレートよりも良いカバレッジレートを達成することを指す。
【００３０】
図１Ａは本開示の実施例によるｇＮＢで実行される集約方法を示すフローチャートである。該方法は以下の操作を含む。
【００３１】
ブロックＳ１０２において、ｇＮＢは、１セットのタイムスロット、単一のタイムスロットにおける１セットのＰＲＢと少なくとも２つのタイムスロットにおける１セットのＰＲＢのうちの一つに関する集約設定における少なくとも一部の集約設定の情報をユーザ装置（ＵＥ）に通知する。
【００３２】
ブロックＳ１０４において、ｇＮＢは、集約設定に従って集約された１セットのタイムスロット、単一のタイムスロットにおける１セットのＰＲＢ、及び少なくとも２つのタイムスロットにおける１セットのＰＲＢのうちの一つに搬送されたロングフォーマットＰＵＣＣＨをＵＥから受信する。
【００３３】
集約設定は１セットのタイムスロット、単一のタイムスロットにおける１セットのＰＲＢと少なくとも２つのタイムスロットにおける１セットのＰＲＢのうちの一つに関する集約設定であってもよい。
【００３４】
一つの実施例では、集約設定は１セットのタイムスロットの集約設定であってもよい。図１Ｂは集約設定が１セットのタイムスロットの集約設定である場合の本開示の実施例によるｇＮＢで実行される集約方法を示すフローチャートである。具体的には、集約設定はＵＣＩを搬送するための集約されるタイムスロットの総数及び各タイムスロットの構造のうちの少なくとも１つを含むことができる。
【００３５】
図１Ｂに示すように、集約方法は以下の操作を含むことができる。
【００３６】
ブロックＳ１０２，において、ｇＮＢはＵＣＩを搬送するための集約されるタイムスロットの総数及び各タイムスロットの構造のうちの少なくとも１つの情報をＵＥに通知することができる。
【００３７】
ブロック１０４，において、ｇＮＢは集約された複数のタイムスロットを介してＵＥからＰＵＣＣＨを受信することができ、前記集約された複数のタイムスロットが集約されるタイムスロットの総数及び各タイムスロットの構造のうちの少なくとも一つの情報に基づいて集約される。一つの実施例では、ＰＵＣＣＨはロングフォーマットＰＵＣＣＨであってもよい。又は、ＰＵＣＣＨはロングフォーマットＰＵＣＣＨではなくてもよい。
【００３８】
一つの実施例では、ｇＮＢはさらに集約されるタイムスロットの１番目のタイムスロットに関する情報を通知することができる。この場合、集約されるタイムスロットの総数、各タイムスロットの構造、及び集約されるタイムスロットの１番目のタイムスロットの情報のうちの少なくとも一つの情報に基づいて複数のタイムスロットを集約することができる。
【００３９】
一つの実施例では、ｇＮＢは集約されたタイムスロットを介してＵＥからＰＵＣＣＨを受信することができ、前記集約されたタイムスロットが各タイムスロットにおける一つ又は複数のＰＲＢを集約することで集約された複数のタイムスロットである。実施例では、前記一つ又は複数のＰＲＢは同じ方式で各タイムスロットに位置してもよい。例えば、３つのタイムスロットが集約され、そして各タイムスロットが４つの集約されるＰＲＢを有し、この４つのＰＲＢが同じ方式で各タイムスロットに位置する。具体的には、例えば、この３つのタイムスロットのそれぞれにおいて、この４つのＰＲＢは、２番目のＰＲＢ、３番目のＰＲＢ、４番目のＰＲＢ及び６番目のＰＲＢを含むことができる。他の実施例では、前記一つ又は複数のＰＲＢは異なる方式で各タイムスロットに位置してもよい。例えば、３つのタイムスロットが集約され、そして各タイムスロットにおけるいくつかのＰＲＢが集約されてもよい。例えば、この３つのタイムスロットの１番目のタイムスロットにおいて、１番目のＰＲＢ、２番目のＰＲＢ及び３番目のＰＲＢが集約されてもよい。この３つのタイムスロットの２番目のタイムスロットにおいて、２番目のＰＲＢと４番目のＰＲＢが集約されてもよい。この３つのタイムスロットの３番目のタイムスロットにおいて、５番目のＰＲＢと６番目のＰＲＢが集約されてもよい。上記のこれらは一例に過ぎず、３つのタイムスロットよりも多く又は少ないタイムスロットを集約することができ、そして各タイムスロットについてより多く又はより少ないＰＲＢを集約することができることが理解される。
【００４０】
一つの実施例では、ロングフォーマットＰＵＣＣＨがＵＣＩを搬送するための１  ＰＲＢ  ｘ  Ｎ個のシンボルの時間周波数リソースをサポートする場合、ＵＣＩを搬送するための約１  ＰＲＢ  ｘ  Ｎ個のシンボルの時間周波数リソースをサポートするために複数のタイムスロットを集約することができ、ここで、Ｎが正整数である。
【００４１】
又は、集約設定は、単一のタイムスロットにおける１セットのＰＲＢの集約設定、又は少なくとも２つのタイムスロット（例えば、２つのタイムスロット、又は３つのタイムスロットなど）における１セットのＰＲＢの集約設定であってもよい。単一のタイムスロットにおける１セットのＰＲＢは、２つ又は複数のＰＲＢ（例えば、２つのＰＲＢ又は３つのＰＲＢなど）が同一のタイムスロットに位置することを表すことを意図している。
【００４２】
少なくとも２つのタイムスロットにおける１セットのＰＲＢは、２つ又は複数のＰＲＢが２つ又は複数のタイムスロットに配布されることを表すことを意図している。例えば、少なくとも２つのタイムスロットにおける１セットは合計４つのＰＲＢを含み、そしてこの４つのＰＲＢが３つのタイムスロットに配布される。具体的には、１つのＰＲＢがこの３つのタイムスロットの１番目のタイムスロットに位置する。２つのＰＲＢがこの３つのタイムスロットの２番目のタイムスロットに位置する。１つのＰＲＢがこの３つのタイムスロットの３番目のタイムスロットに位置する。しかしながら、理解すべきものとして、ＰＲＢの総数とタイムスロットの総数が例として提供され、そして所望に応じて他の方式でＰＲＢの総数とタイムスロットの総数を設定することができ、そして所望に応じて他の方式で各タイムスロットにおけるＰＲＢの総数を設定することができる。
【００４３】
集約設定の少なくとも一部が集約設定全体、又は集約設定のうちの一部のみを示すことを意図している。
【００４４】
一つの実施例では、集約設定における少なくとも一部の情報は集約設定における少なくとも一部自体を表すことを意図している。
【００４５】
この場合、１セットのタイムスロットがロングフォーマットＰＵＣＣＨを搬送するために集約される場合、ｇＮＢは、ブロックＳ１０２で、ＵＣＩを搬送するための集約されるタイムスロットの総数、集約される各タイムスロットの構造及び集約されるシンボルの総数のうちの少なくとも一つをＵＥに通知することができる。好ましい実施例では、ｇＮＢはブロックＳ１０２で、ＵＣＩを搬送するための集約されるタイムスロットの総数及び集約されるシンボルの総数をＵＥに通知することができ、そして共通制御チャネルを介して集約される各タイムスロットの構造をＵＥに通知することができる。
【００４６】
又は、ｇＮＢはブロックＳ１０２で、集約されるタイムスロットの総数をＵＥに通知することができる。この場合、ＵＣＩを搬送するための集約される各タイムスロットの構造及びび集約されるシンボルの総数がＵＥにおいて予め設定されてもよく、又はＵＣＩを搬送するための集約される各タイムスロットの構造及び集約されるシンボルの総数が上位層シグナリングによってＵＥに通知され、又は集約される各タイムスロットの構造及び集約されるシンボルの総数のうちの一つがＵＥにおいて予め設定されてもよく、又は集約される各タイムスロットの構造及び集約されるシンボルの総数のうちの一つがＵＥに通知されてもよく、他のものがＵＥによって導出されてもよい。
【００４７】
単一のタイムスロットにおける１セットのＰＲＢがロングフォーマットＰＵＣＣＨを搬送するために集約される場合、ブロックＳ１０２で、ｇＮＢは、ＵＣＩを搬送するための単一のタイムスロットにおける集約されるＰＲＢの総数、単一のタイムスロットにおける集約される各ＰＲＢの位置、集約されるシンボルの総数のうちの少なくとも一つをＵＥに通知することができる。１セットのタイムスロットがロングフォーマットＰＵＣＣＨを集約するために集約される場合と同様に、ｇＮＢはＵＣＩを搬送するための単一のタイムスロットにおける集約されるＰＲＢの総数、単一のタイムスロットにおける集約される各ＰＲＢの位置、及び集約されるシンボルの総数を全てＵＥに通知することができ、又はｇＮＢはＵＣＩを搬送するための単一のタイムスロットにおける集約されるＰＲＢの総数、単一のタイムスロットにおける要約される各ＰＲＢの位置、及び集約されるシンボルの総数のうちの一部をＵＥに通知することができる。例えば、ｇＮＢはＵＣＩを搬送するための単一のタイムスロットにおける集約されるＰＲＢの総数及び集約されるシンボルの総数をＵＥに通知し、集約される各ＰＲＢの位置を上位層シグナリングによってＵＥに通知し、又はＵＥにおいて予め設定し、又はＵＥによって導出することができる。
【００４８】
少なくとも２つのタイムスロットにおける１セットのＰＲＢがロングフォーマットＰＵＣＣＨを搬送するために集約される場合、ブロックＳ１０２で、ｇＮＢは、ＵＣＩを搬送するための集約されるタイムスロットの総数、集約される各タイムスロットの構造、各タイムスロットにおける集約されるＰＲＢの総数、各タイムスロットにおける集約される各ＰＲＢの位置及び集約されるシンボルの総数のうちの少なくとも一つの情報をＵＥに通知することができる。
【００４９】
１セットのタイムスロットがロングフォーマットＰＵＣＣＨを搬送するために集約される場合と同様に、ｇＮＢは、ＵＣＩを搬送するための集約されるタイムスロットの総数、集約される各タイムスロットの構造、各タイムスロットにおける集約されるＰＲＢの総数、各タイムスロットにおける集約される各ＰＲＢの位置及び集約されるシンボルの総数を全てＵＥに通知することができる。又は、ｇＮＢは、ＵＣＩを搬送するための集約されるタイムスロットの総数、集約される各タイムスロットの構造、各タイムスロットにおける集約されるＰＲＢの総数、各タイムスロットにおける集約される各ＰＲＢの位置及び集約されるシンボルの総数の一部をＵＥに通知することができる。ｇＮＢがＵＣＩを搬送するための集約されるタイムスロットの総数、集約される各タイムスロットの構造、各タイムスロットにおける集約されるＰＲＢの総数、各タイムスロットにおける集約される各ＰＲＢの位置、集約されるシンボルの総数の一部をＵＥに通知する場合、残りの部分が上位層シグナリングによってＵＥに通知され、又はＵＥにおいて予め設定され、又はＵＥによって導出されることができる。
【００５０】
又は、集約設定における少なくとも一部の集約設定の情報は集約設定における少なくとも一部と関連する信号、例えばコード又はビットなどを表すことを意図している。例えば、集約設定における少なくとも一部の集約設定に関する情報は、ＵＥにおけるルックアップテーブルのインデックスであってもよい。ここで、ルックアップテーブルがＵＥにおいて予め設定され、又はルックアップテーブルが上位層シグナリングによってＵＥに送信されることができ、そしてルックアップテーブルが集約設定及び集約設定のインデックスを含むことができる。この場合、ブロックＳ１０２で、ｇＮＢはルックアップテーブルのインデックスをＵＥに通知することができる。それに応じて、ＵＥは該インデックスを受信する。ＵＥはＵＥに予め設定され又は上位層シグナリングによってＵＥに送信されたルックアップテーブルをルックアップすることができ、ルックアップテーブルが集約設定と集約設定のインデックスを含む。その後、ＵＥはインデックスに応じて対応する集約設定を取得することができる。
【００５１】
集約設定の少なくとも一部に関する情報が１セットのタイムスロットに関する集約設定である場合、ブロックＳ１０４で、ｇＮＢはＵＥが集約設定に従って集約した１セットのタイムスロットに搬送されたロングフォーマットＰＵＣＣＨをＵＥから受信する。集約設定における少なくとも一部の集約設定に関する情報が単一のタイムスロットにおける１セットのＰＲＢの集約設定である場合、ブロックＳ１０４で、ｇＮＢはＵＥが集約設定に従って集約した単一のタイムスロットにおける１セットのＰＲＢに搬送されたロングフォーマットＰＵＣＣＨをＵＥから受信する。集約設定の少なくとも一部に関する情報が少なくとも２つのタイムスロットにおける１セットのＰＲＢに関する集約設定である場合、ブロックＳ１０４で、ｇＮＢはＵＥが集約設定に従って集約した少なくとも２つのタイムスロットにおける１セットのＰＲＢに搬送されたロングフォーマットＰＵＣＣＨをＵＥから受信する。
【００５２】
上述したように、ロングフォーマットＰＵＣＣＨは５Ｇ  ＮＲにおける長持続時間を有するＰＵＣＣＨ（ロングフォーマットを有するＰＵＣＣＨ、又はＰＵＣＣＨと略称）を指す。
【００５３】
ブロックＳ１０２で、ｇＮＢは、動的に下位層シグナリングを介し、半静的に上位層シグナリングの組み合わせ、又は下位層シグナリングと上位層シグナリングの組み合わせを介して集約設定における少なくとも一部の集約設定の情報をＵＥに通知することができ、該集約設定が１セットのタイムスロット、単一のタイムスロットにおける１セットのＰＲＢと少なくとも２つのタイムスロットにおける１セットのＰＲＢのうちの一つに関する情報である。
【００５４】
言い換えれば、シグナリングは上位層シグナリング、又は下位層シグナリング又は上位層シグナリングと下位層シグナリングの組み合わせであってもよい。共通チャネル（例えば共通制御チャネル）を介してタイムスロット構造のような情報のうちのいくつかの情報を伝送することもできる。いくつかの情報はＵＥにおいて予め設定されてもよく、又はＵＥによって暗黙的に導出されてもよい。長ＰＵＣＣＨのためのこのようなスロット集約組み合わせを配置してＵＥに通知することができる。システムに割り当てられたスロット構造をより動的に確定することができるため、例えばＤＣＩを用いてタイムスロット集約のような配置を通知することができる。又は、スロットフォーマットをより半静的な方式で割り当てることができる場合、上位層信号を用いてこのようなタイムスロット集約設定を半静的に通知することができる。
【００５５】
ロングフォーマットＰＵＣＣＨがＵＣＩを搬送するための１  ＰＲＢ  ｘ  Ｎ個のシンボルの時間周波数リソースをサポートする場合、１セットのタイムスロット、単一のタイムスロットにおける１セットのＰＲＢと少なくとも２つのタイムスロットにおける１セットのＰＲＢのうちの一つがＵＣＩを搬送するための約１  ＰＲＢ  ｘ  Ｎ個のシンボルの時間周波数リソースをサポートするために集約されてもよい。ここで、Ｎが正整数である。
【００５６】
具体的には、１セットのタイムスロットを集約する場合、集約される１セットのタイムスロットはＵＣＩを搬送するための約１  ＰＲＢ  ｘ  Ｎ個のシンボルの時間周波数リソースをサポートすることができる。単一のタイムスロットにおける１セットのＰＲＢを集約する場合、集約される１セットのタイムスロットはＵＣＩを搬送するための約１  ＰＲＢ  ｘ  Ｎ個のシンボルの時間周波数リソースをサポートすることができる。１セットのタイムスロットを集約する場合、少なくとも２つのタイムスロットにおける集約される１セットのＰＲＢはＵＣＩを搬送するための約１  ＰＲＢ  ｘ  Ｎ個のシンボルの時間周波数リソースをサポートすることができる。
【００５７】
ここでＮはロングフォーマットＰＵＣＣＨに伴って変化することができる。
【００５８】
ＬＴＥと同様に、５Ｇ  ＮＲでは１対のＰＵＣＣＨフォーマットを定義することができる。限定された各ＰＵＣＣＨフォーマットは、異なるタイプのＵＣＩを搬送し、異なるペイロードを有することができる。例えば、ＬＴＥにおけるＰＵＣＣＨフォーマット１／１ａ／１ｂと類似する第一のロングフォーマットＰＵＣＣＨ（以下にフォーマット１のＮＲ  ＰＵＣＣＨとも呼ばれる）を限定することができ、第一のロングフォーマットＰＵＣＣＨがダウンリンクＰＤＳＣＨを送信するために１−２ビットのＡｃｋ／Ｎａｃｋを搬送することができる。ＬＴＥでは、１４個のシンボルのサブフレームでＰＵＣＣＨフォーマット１／１ａ／１ｂを送信し、この１４個のシンボルのうちの６つのシンボルがＲＳを搬送することに用いられ、この１４個のシンボルのうちの８つのシンボルがＵＣＩ（具体的には、Ａｃｋ／Ｎａｃｋ）を搬送することに用いられる。これと一致するために、フォーマット１のＮＲ  ＰＵＣＣＨは、ＵＣＩを搬送するために約８つのシンボルをサポートする。
【００５９】
フォーマット１のＮＲ  ＰＵＣＣＨ以外、１−２ビットより多いペイロードを搬送できる他のタイプのＰＵＣＣＨフォーマットをサポートする必要がある。例えば、フォーマット２のＮＲ  ＰＵＣＣＨを限定することができ、フォーマット２のＮＲ  ＰＵＣＣＨが約２０符号化ビットのペイロードを搬送することができる。フォーマット２のＮＲ  ＰＵＣＣＨの内容は複数のコードワードのためのＡｃｋ／Ｎａｃｋ及び／又はＣＳＩなどの他のタイプのＵＣＩを含むことができる。ＬＴＥ  ＰＵＣＣＨフォーマット１／１ａ／１ｂに対して、１０個のシンボルがＵＣＩを搬送することに用いられ、４つのシンボルがＲＳを搬送することに用いられる。したがって、これと一致するために、フォーマット２のＮＲ  ＰＵＣＣＨは、ＵＣＩを搬送するために約１０個のシンボルをサポートする。
【００６０】
ロングフォーマットＰＵＣＣＨがフォーマット１のＮＲ  ＰＵＣＣＨである場合、Ｎが８であってもよい。ロングフォーマットＰＵＣＣＨがフォーマット２のＮＲ  ＰＵＣＣＨである場合、Ｎが１０であってもよい。理解すべきものとして、ロングフォーマットＰＵＣＣＨが他のロングフォーマットＰＵＣＣＨであってもよく、したがって、少なくとも部分的にロングフォーマットＰＵＣＣＨに依存し、Ｎが他の値であってもよい。
【００６１】
以下に図２−図７を参照して各実施例を提供する。
【００６２】
図２は実施例によるロングフォーマットＰＵＣＣＨを搬送するための複数のタイムスロットの構造を示す図である。図２に示す実施例では、
フォーマット１のＮＲ  ＰＵＣＣＨを参照して以下の説明を行う。理解すべきものとして、フォーマット１のＮＲ  ＰＵＣＣＨが例として用いられ、そして図２に示すタイムスロットがいかなる他のロングフォーマットＰＵＣＣＨ用に集約されてもよい。
【００６３】
図２に示すように、３つのタイムスロット、即ちタイムスロット２０２、タイムスロット２０４とタイムスロット２０６が存在する。タイムスロット２０２、タイムスロット２０４とタイムスロット２０６のそれぞれが異なる構造を有する。
【００６４】
タイムスロット２０２、タイムスロット２０４及びタイムスロット２０６のそれぞれにおいて、斜線を有する矩形がＲＳを搬送するためのシンボルを表し、灰色の矩形がＵＣＩを搬送するための符号を表し、点を有する矩形がダウンリンクを搬送するためのシンボルを表し、白色の矩形がスイッチング期間のためのシンボルを表す。矩形についての該説明も図３−図７に応用される。
【００６５】
上述したように、スイッチング期間（又はＧＰ）期間において、ＵＥはアップリンク受信からアップリンク送信へのスイッチングを完了する。
【００６６】
タイムスロット２０２はＲＳを搬送するための３つのシンボルとＵＣＩを搬送するための４つのシンボルを含む。タイムスロット２０４はダウンリンクを搬送するための１つのシンボル、スイッチング期間のための１つのシンボル、ＵＣＩを搬送するための３つのシンボルとＲＳを搬送するための２つのシンボルを含む。タイムスロット２０６はダウンリンクを搬送するための２つのシンボル、スイッチング期間のための１つのシンボル、ＵＣＩを搬送するための２つのシンボルとＲＳを搬送するための２つのシンボルを含む。しかしながら、以上の数は一例に過ぎず、他の構造のタイムスロットを用いることができることは理解可能である。
【００６７】
便宜上、テーブル１において図２に示すスロット構造に搬送されたロングフォーマットＰＵＣＣＨをまとめる。テーブル１において、パラメータがタイムスロット番号、ロングフォーマットＰＵＣＣＨに用いられてもよいアップリンクシンボルの総数、ＲＳのためのシンボルの数及びＵＣＩのためのシンボルの数を含む。
【００６８】
2020511093.tif 000003
上述したように、ＬＴＥでは、１４個のシンボルのサブフレームでＰＵＣＣＨフォーマット１／１ａ／１ｂを送信し、ここで、６つのシンボルがＲＳを搬送することに用いられ、８つのシンボルがＵＣＩ（具体的には、Ａｃｋ／Ｎａｃｋ）を搬送することに用いられる。これと一致するために、これと一致するために、フォーマット１のＮＲ  ＰＵＣＣＨは、ＵＣＩを搬送するための約８つのシンボルをサポートする必要がある。
【００６９】
具体的には、カバレッジレートがロングフォーマットＰＵＣＣＨを使用する目的の１つであるため、離散フーリエ変換拡散直交周波数分割多重（Ｄｉｓｃｒｅｔｅ  Ｆｏｕｒｉｅｒ  Ｔｒａｎｓｆｏｒｍ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｅｄ、ＤＦＴ−Ｓ−ＯＦＤＭと略称）波形を用いることができ、該波形がより低いピーク対平均電力比／立方メトリック（ｐｅａｋ−ｔｏ−ａｖｅｒａｇｅ−ｐｏｗｅｒ−ｒａｔｉｏ／ｃｕｂｉｃ  ｍｅｔｒｉｃ：ＰＡＰＲ／ＣＭと略称）を有し、したがって、ＵＥ側でより少ないバックオフ電力が必要とされる。該ＰＵＣＣＨフォーマットに対して、バイナリ位相シフトキーイング（Ｂｉｎａｒｙ  Ｐｈａｓｅ  Ｓｈｉｆｔ  Ｋｅｙｉｎｇ：ＢＰＳＫと略称）／直交位相シフトキーイング（Ｑｕａｄｒａｔｕｒｅ  Ｐｈａｓｅ  Ｓｈｉｆｔ  Ｋｅｙｉｎｇ、ＱＰＳＫと略称）変調が変調されたシンボル（１−２ビット用）を生成することに用いられてもよい。これらの変調されたシンボルが長さ１２の直交又は準直交シーケンスに拡張され、そして周波数に沿ってＰＲＢにおける一つのシンボルにマッピングされることができる。異なる直交シーケンス又は準直交シーケンスを用いて複数のＡｃｋ／Ｎａｃｋビットを同一のシンボルに多重化することができる。電力増強をサポートし、拡散利得を向上させるために、一つのタイムスロットにおける複数の異なるシンボルでシーケンスの拡張を繰り返すことができ、これは最終的に向上されたＰＵＣＣＨカバレッジレートにつながる。異なるタイムスロットが異なる数のアップリンクシンボルを有することができるため、直交カバーコード（ｏｒｔｈｏｇｏｎａｌ  ｃｏｖｅｒ  ｃｏｄｅ）を用いて時間方向に拡張をさらに応用することは困難である可能性がある。１つの理由は、一つのタイムスロットにおけるＵＣＩのためのアップリンクシンボルの総数が奇数である可能性があることである可能性がある。他の理由は、タイムスロットを用いて集約する場合、複数の異なるタイムスロットにおけるアップリンクシンボルが異なる可能性があるため、同じ数のＰＵＣＣＨ多重化をサポートしない可能性があることである。しかしながら、本開示の実施例による集約方法により該問題を解決することができる。
【００７０】
例えば図２から分かるように、異なるタイムスロット構造におけるアップリンクシンボルの総数が異なってもよい。フォーマット１のＮＲ  ＰＵＣＣＨのためのタイムスロット集約では、異なるタイムスロット組み合わせを考慮することができる。テーブル２はフォーマット１のＮＲ  ＰＵＣＣＨのタイムスロット２０２、タイムスロット２０４及びタイムスロット２０６のいくつかの集約設定の例を示している。
【００７１】
2020511093.tif 000004
テーブル２に示すように、タイムスロット集約設定におけるインデックス１に対して、第２列に示される７＋７が２つのタイムスロット２０２が集約されることを表し、そしてこの２つのタイムスロットのそれぞれがＵＣＩのための４つのシンボルを含み、したがって第３列に示すように、ＵＣＩのためのアップリンクシンボルの総数が４＋４＝８である。タイムスロット集約設定におけるインデックス２に対して、第２列に示される７＋５がタイムスロット２０２とタイムスロット２０４が集約されることを表し、そしてタイムスロット２０２がＵＣＩのための４つのシンボルを含み、タイムスロット２０４がＵＣＩのための３つのシンボルを含み、したがって第３列に示すように、ＵＣＩのためのアップリンクシンボルの総数が４＋３＝７である。同様の説明がタイムスロット集約設定におけるインデックス３−１２のそれぞれに応用されてもよいため、タイムスロット集約設定のこれらのインデックスに対する詳細な説明を省略する。テーブル２に基づいて分かるように、ＵＣＩのためのアップリンクシンボルの総数の範囲が７−１１であってもよく、これはＬＴＥのＰＵＣＣＨフォーマット１／１ａ／１ｂに用いられる８に近い。したがって、本開示の実施形態による集約方法では、ＬＴＥ  ＰＵＣＣＨフォーマット１／１ａ／１ｂにサポートされるＵＣＩの数とほぼ同じＵＣＩ数であってもよい。
【００７２】
注意すべきものとして、テーブル２に示す集約設定は一例に過ぎず、実際の集約設定はテーブル２に示す集約設定に限定されるものではなく、そして他の方式でタイムスロット２０２−２０６のうちの２つ又は複数を集約することができ、ＵＣＩのためのアップリンクシンボルの総数がＵＣＩのためのほぼ十分なシンボル（例えば、フォーマット１のＮＲ  ＰＵＣＣＨの場合、８つのシンボル）さえサポートすればよい。
【００７３】
図３は他の実施例によるロングフォーマットＰＵＣＣＨを搬送するための複数のタイムスロットの構造を示す図である。図３に示すように、このセットのタイムスロットにおいて、図２に示すセットのタイムスロットと比較し、より少ないシンボルがＲＳに用いられ、より多くのシンボルがＵＣＩに用いられる。図３に示す実施例では、フォーマット１のＮＲ  ＰＵＣＣＨとフォーマット２のＮＲ  ＰＵＣＣＨについて以下に説明する。理解すべきものとして、フォーマット１のＮＲ  ＰＵＣＣＨとフォーマット２のＮＲ  ＰＵＣＣＨが例であり、他のロングフォーマットＰＵＣＣＨに対して図３に示すタイムスロットを集約することができる。
【００７４】
図３に示すように、３つのタイムスロット、即ちタイムスロット３０２、タイムスロット３０４とタイムスロット３０６が存在する。タイムスロット３０２、タイムスロット３０４とタイムスロット３０６のそれぞれにおいて、斜線を有する矩形がＲＳを搬送するためのシンボルを表し、灰色の矩形がＵＣＩを搬送するための符号を表し、点を有する矩形がダウンリンクを搬送するためのシンボルを表し、白色の矩形がスイッチング期間のためのシンボルを表す。タイムスロット３０２はＵＣＩを搬送するための５つのシンボルとＲＳを搬送するための２つのシンボルを含む。タイムスロット３０４はダウンリンクを搬送するための１つのシンボル、スイッチング期間のための１つのシンボル、ＵＣＩを搬送するための３つのシンボルとＲＳを搬送するための２つのシンボルを含む。タイムスロット３０６はダウンリンクを搬送するための２つのシンボル、スイッチング期間のための１つのシンボル、ＵＣＩを搬送するための３つのシンボルとＲＳを搬送するための１つのシンボルを含む。しかしながら、以上の数は一例に過ぎず、他の構造のタイムスロットを用いることができることを理解する。
【００７５】
便宜上、テーブル３において図２に示すスロット構造に搬送されたロングフォーマットＰＵＣＣＨをまとめる。テーブル２において、パラメータがタイムスロット番号、ロングフォーマットＰＵＣＣＨに用いられてもよいアップリンクシンボルの総数、ＲＳのためのシンボルの数とＵＣＩのためのシンボルの数を含む。
【００７６】
2020511093.tif 000005
例えば図３から分かるように、異なるタイムスロット構造におけるアップリンクシンボルの総数が変化してもよい。フォーマット１のＮＲ  ＰＵＣＣＨのためのタイムスロット集約では、異なるタイムスロット組み合わせを考慮することができる。テーブル４はフォーマット１のＮＲ  ＰＵＣＣＨのためのタイムスロット２０２、タイムスロット２０４とタイムスロット２０６のいくつかの集約設定例を示している。
【００７７】
2020511093.tif 000006
テーブル４に示すように、タイムスロット集約設定におけるインデックス１に対して、７＋７が２つのタイムスロット３０２が集約されることを表し、そしてこの２つのタイムスロットのそれぞれがＵＣＩのための５つのシンボルを含み、したがってＵＣＩのためのアップリンクシンボルの総数が５＋５＝１０である。タイムスロット集約設定におけるインデックス２に対して、７＋５がタイムスロット３０２とタイムスロット３０４が集約されることを表し、そしてタイムスロット３０２がＵＣＩのための５つのシンボルを含み、タイムスロット３０４がＵＣＩのための３つのシンボルを含み、したがって、ＵＣＩのためのアップリンクシンボルの総数が５＋３＝８である。同様の説明がタイムスロット集約設定におけるインデックス２−９のそれぞれに応用されてもよく、したがって、ここでタイムスロット集約設定におけるインデックス３−９に対する詳細な説明を省略する。
【００７８】
テーブル４に基づいて分かるように、ＵＣＩのためのアップリンクシンボルの総数の範囲が８−１１であってもよく、これはＬＴＥのＰＵＣＣＨフォーマット１／１ａ／１ｂに用いられる８以上である。言い換えれば、ＬＴＥのＰＵＣＣＨフォーマット１  ／１ａ／１ｂと少なくとも同じ又は類似の性能を提供するために、タイムスロットは、ＵＣＩを搬送するための８個のアップリンクシンボルをサポートするように集約される。したがって、本開示の実施例による集約方法では、ＬＴＥ  ＰＵＣＣＨフォーマット１／１ａ／１ｂのＵＣＩの数とほぼ同じＵＣＩ数をサポートすることができる。
【００７９】
注意すべきものとして、テーブル４に示す集約設定は一例に過ぎず、実際の集約設定はテーブル４に示す集約設定に限定されるものではなく、そして他の方式でタイムスロット３０２〜３０６により多く又は少ないタイムスロットを集約することができ、ＵＣＩのためのアップリンクシンボルの総数がＵＣＩのためのほぼ十分なシンボル（例えば、フォーマット１のＮＲ  ＰＵＣＣＨの場合、８つのシンボル）さえサポートすればよい。
【００８０】
テーブル２とテーブル４では、ＵＣＩの集約数が時には１２に達することがあることを示されている。このための主な考慮事項は、時にはロングフォーマットＰＵＣＣＨが短ＰＵＣＣＨと衝突する可能性があり、ここで短ＰＵＣＣＨがタイムスロットの最後の１つ又は最後の２つのシンボルで送信されることである。時分割多重（Ｔｉｍｅ  Ｄｉｖｉｓｉｏｎ  Ｍｕｌｔｉｐｌｅｘ、ＴＤＭと略称）方式がこのような衝突を回避することに用いられる場合、該タイムスロットにおいて長ＰＵＣＣＨを短縮させることができる。その結果、該タイムスロットにおいてより少ないアップリンクシンボルがロングフォーマットＰＵＣＣＨにおけるＵＣＩに用いられる。テーブル２における最後の列にＵＣＩのためのシンボルの総数が示され、そしてこの状況が考慮されず、したがって、より多いシンボルで該損失を補償する必要がある。
【００８１】
一つの実施例では、同一のタイムスロット集約設定が異なる時間順序で集約された同一のセットのタイムスロットを含むことができる。例えば、時間的なタイムスロット７／４／５の集約の同一の指示を用いて時間的な集約タイムスロット７／５／４を通知することができ（時間的に７／５／４つのアップリンクシンボルをそれぞれ有する３つのタイムスロットの集約を意味する）、なぜなら、ＵＣＩのための総集約シンボルのみが示されているからである。他のソース（例えば、タイムスロットの開始位置に送信される共通制御チャネル）から時間的な各タイムスロット構造の情報を取得することができる。
【００８２】
一つの実施例では、ＵＣＩのための集約されるシンボルの総数と集約されるタイムスロットの総数のみでタイムスロット集約設定を示すことができ、そして共通制御チャネルによって各タイムスロットのタイムスロット構造を示すことができる。
【００８３】
例えば、テーブル２とテーブル４においてクアッドコアでのタイムスロット集約組み合わせがそれぞれテーブル５とテーブル６に簡略化されてもよい。
【００８４】
テーブル５又はテーブル６における第２列にタイムスロット集約組み合わせ（テーブル２又はテーブル４におけるそれらのタイムスロット集約組み合わせと類似する）と集約されるタイムスロットの数（各括弧内）が示されている。ＵＥがこのような配置／指示を受信する場合、ＵＥは、ロングフォーマットＰＵＣＣＨを形成するために集約されるタイムスロットの数及びＵＣＩを搬送するための集約されるシンボルの数を知る。その後、ＵＥは他のソースから各タイムスロットの構造を取得することができる。例えば、ＵＥは、各タイムスロットの共通制御チャネルを復号してタイムスロット構造情報を取得することができ、したがって各タイムスロットにおけるＰＵＣＣＨシンボルの正確な数とＰＵＣＣＨシンボルの開始を取得する。
【００８５】
テーブル５にテーブル２におけるタイムスロット集約設定に対応する、簡略化されたタイムスロット集約設定が示されている。
【００８６】
2020511093.tif 000007
テーブル５に示す例では、タイムスロット集約設定のインデックス１に対して、ｇＮＢは第２列における括弧内の「２」と第３列における「７」をＵＥに通知することができ、したがって、ＵＥは、２つのタイムスロットを集約すること及びＵＣＩのための集約されるアップリンクシンボルの総数が７であることを知る。又は、ｇＮＢは第２列における括弧内の「３」と第３列における「７」をＵＥに通知することができ、したがって、ＵＥは、３つのタイムスロットを集約すること及びＵＣＩのための集約されるアップリンクシンボルの総数が７であることを知る。その後、ＵＥは他のソースから各タイムスロットの構造を取得することができる。例えば、ＵＥは、各タイムスロットの共通制御チャネルを復号してタイムスロット構造情報を取得することができ、したがって各タイムスロットにおけるＰＵＣＣＨシンボルの正確な数とＰＵＣＣＨシンボルの開始を取得する。同様の説明がテーブル５におけるインデックス２−５に応用されてもよく、ここでその説明を省略する。
【００８７】
テーブル６にテーブル４におけるタイムスロット集約設定に対応する、簡略化されたタイムスロット集約設定が示されている。
【００８８】
2020511093.tif 000008
テーブル６に示す例では、タイムスロット集約設定のインデックス１に対して、ｇＮＢは第２列における括弧内の「２」と第３列における「８」をＵＥに通知することができ、それに応じて、ＵＥは、２つのタイムスロットを集約すること及びＵＣＩのための集約されるアップリンクシンボルの総数が８であることを知る。その後、ＵＥは他のソースから各タイムスロットの構造を取得することができる。例えば、ＵＥは、各タイムスロットの共通制御チャネルを復号してタイムスロット構造情報を取得することができ、したがって各タイムスロットにおけるＰＵＣＣＨシンボルの正確な数とＰＵＣＣＨシンボルの開始を取得する。注意すべきものとして、タイムスロット集約設定のインデックス１について、ｇＮＢは、「２」及び「８」を用いて「タイムスロット集約組み合わせ「７＋５」とタイムスロット集約組み合わせ「７＋４」の両者をＵＥに通知することができる。この場合、ＵＥがタイムスロット構造情報を取得する場合、ＵＥは例えばＵＥにおいて予め設定された所定選択ルールに従ってタイムスロット集約組み合わせ「７＋５」とタイムスロット集約組み合わせ「７＋４」のうちの一つを選択してタイムスロット集約を実行する。同様の説明がテーブル６におけるインデックス２−４に応用されてもよく、ここでその説明を繰り返さない。
【００８９】
上述したように、フォーマット１のＮＲ  ＰＵＣＣＨ以外、１−２ビットより多いペイロードを搬送できる他のタイプのＰＵＣＣＨフォーマットをサポートする必要がある。例えば、フォーマット２のＮＲ  ＰＵＣＣＨを限定することができる。フォーマット２のＮＲ  ＰＵＣＣＨは約２０符号化ビットのペイロードを搬送することができる。内容は複数のコードワードのためのＡｃｋ／Ｎａｃｋ及び／又はＣＳＩなどの他のタイプのＵＣＩであってもよい。ＬＴＥ  ＰＵＣＣＨフォーマット１／１ａ／１ｂに対して、１０個のシンボルがＵＣＩを搬送することに用いられ、４つのシンボルがＲＳを搬送することに用いられる。したがって、これと一致するために、フォーマット２のＮＲ  ＰＵＣＣＨは、ＵＣＩを搬送するための１０個のシンボルをサポートする。
【００９０】
フォーマット２のＮＲ  ＰＵＣＣＨはフォーマット１のＮＲ  ＰＵＣＣＨよりもＵＣＩを搬送するためのより多くのシンボルをサポートするため、より多くのタイムスロットを集約し又はＵＣＩを搬送するためのより多くのシンボルのタイムスロットを有することができる。
【００９１】
テーブル７に、図３に示すタイムスロットを用いる場合のフォーマット２のＮＲ  ＰＵＣＣＨのタイムスロット集約組み合わせの例が示されている。
【００９２】
2020511093.tif 000009
テーブル７に示すように、タイムスロット集約設定におけるインデックス１に対して、第２列に示される７＋７が図３に示す２つのタイムスロット３０２が集約されることを表し、そしてこの２つのタイムスロットのそれぞれがＵＣＩのための５つのシンボルを含み、そして第３列に示されるように、ＵＣＩのためのアップリンクシンボルの総数が５＋５＝１０である。タイムスロット集約設定におけるインデックス２に対して、第２列に示される７＋７＋５が図３に示す２つのタイムスロット３０２と一つのタイムスロット３０４を含む３つのタイムスロットが集約されることを表し、そしてタイムスロット３０２がＵＣＩのための５つのシンボルを含み、タイムスロット３０４がＵＣＩのための３つのシンボルを含み、したがって第３列に示されるように、ＵＣＩのためのアップリンクシンボルの総数が５＋５＋３＝１３である。同様の説明がタイムスロット集約設定におけるインデックス２−６のそれぞれに応用されてもよく、ここでタイムスロット集約設定におけるインデックス３−６に対する詳細な説明を省略する。テーブル７に基づいて分かるように、ＵＣＩのためのアップリンクシンボルの総数の範囲が１０−１２であってもよく、これはＬＴＥのＰＵＣＣＨフォーマット１／１ａ／１ｂに用いられる１０に近い。したがって、本開示の実施形態による集約方法では、ＬＴＥ  ＰＵＣＣＨフォーマット１／１ａ／１ｂにおけるＵＣＩの数とほぼ同じＵＣＩ数をサポートすることができる。
【００９３】
テーブル８にテーブル７におけるタイムスロット集約設定に対応する、簡略化されたタイムスロット集約設定が示されている。
【００９４】
2020511093.tif 000010
テーブル８に示すように、第３列に示すＵＣＩのための集約されるシンボルの総数及び第２列に示す、集約されるタイムスロットの数をＵＥに通知し、他のソース（例えば、共通制御チャネル）を介してタイムスロット構造をＵＥに示すことができる。フォーマット２のＮＲ  ＰＵＣＣＨを搬送するために１０個のシンボルが必要とされるため、ＵＣＩのための集約されるシンボルの総数が該数よりも大きい場合、タイムスロット集約中にこの１０個のシンボルのうちの１つ又は複数を繰り返す可能性があり、それによって性能を向上させる。
【００９５】
以上にテーブル１−テーブル８を参照しながら図２又は図３に示す１セットのタイムスロットの集約を説明する。１セットのタイムスロットの集約により、時間領域の多様化だけでなく、タイムスロットにおけるパワーブーストを改善することができる。しかしながら、時々、各タイムスロットが十分なアップリンクシンボルを含めない場合、より多くのタイムスロットを集約する必要があり、そしてこれはより長い遅延（ｌａｔｅｎｃｙ）を引き起こす可能性がある。一つの方式は、同一のタイムスロットにおけるより多くのリソース（例えばＰＲＢ）を用いてＰＵＣＣＨを送信することである。以下に図４に示す単一のタイムスロットにおける１セットのＰＲＢの集約を説明する。単一のタイムスロットにおける１セットのＰＲＢの集約は、タイムスロット間の電力を増加させないことができるが、周波数領域の多様性を改善することができる。
【００９６】
図４は一つの実施例によるロングフォーマットＰＵＣＣＨを搬送するための単一のタイムスロットにおけるＰＲＢを示す図である。
【００９７】
図４に示すように、タイムスロット４０２が少なくともＰＲＢ  ４０２ＡとＰＲＢ  ４０２Ｂを含み、タイムスロット４０４が少なくともＰＲＢ  ４０４Ａ  ＰＲＢ  ４０４Ｂ  ＰＲＢ  ４０４ＣとＰＲＢ  ４０４Ｄを含む。タイムスロット４０２において、ＲＳを搬送するための２つのシンボルとＵＣＩを搬送するための５つのシンボルがある。タイムスロット４０４において、ＲＳのための２つのシンボル、ＵＣＩのための３つのシンボル、ダウンリンクのための１つのシンボルとスイッチング期間のための１つのシンボルがある。
【００９８】
例えば、ＰＲＢ  ４０２ＡとＰＲＢ  ４０２Ｂが同一のタイムスロット４０２に位置し、そしてＵＣＩを搬送するための１０個のシンボルをサポートするために集約されてもよく、そのため該同一のタイムスロットにおける集約されたＰＲＢが長ＰＵＣＣＨ、例えばフォーマット１のＮＲ  ＰＵＣＣＨ又はフォーマット２のＮＲ  ＰＵＣＣＨをサポートすることができる。
【００９９】
同様に、ＰＲＢ  ４０４Ａ、４０４Ｂ、４０４Ｃ及び４０４Ｄが同一のタイムスロット４０４に位置し、そしてＵＣＩのための十分なシンボルをサポートするためにＰＲＢ  ４０４Ａ、４０４Ｂ、４０４Ｃ及び４０４Ｄのうちの２つ又は複数のＰＲＢを集約することができる。フォーマット１のＮＲ  ＰＵＣＣＨの場合、例えば、ＵＣＩを搬送するための９つのシンボルをサポートするために同一のタイムスロット４０４に位置する３つのＰＲＢ（例えば、ＰＲＢ４０４Ａ、４０４Ｂ及び４０４Ｃ）を集約することができる。フォーマット２のＮＲ  ＰＵＣＣＨの場合、例えば、ＵＣＩを搬送するための１２個のシンボルをサポートするためにタイムスロット４０４に位置する４つのＰＲＢ（ＰＲＢ  ４０４Ａ、４０４Ｂ、４０４Ｃ及び４０４Ｄ）を集約することができる。
【０１００】
注意すべきものとして、フォーマット１のＮＲ  ＰＵＣＣＨ又はフォーマット２のＮＲ  ＰＵＣＣＨは一例に過ぎず、そして同様の原理がより高いペイロードを有する他のＰＵＣＣＨフォーマットに応用されてもよい。
【０１０１】
注意すべきものとして、同一のタイムスロットにおける集約されるＰＲＢの総数が上記の例に限定されず、特定のロングフォーマットＰＵＣＣＨとＵＣＩのためのタイムスロットにおけるシンボルの総数に依存し、同一のタイムスロットにおける集約されるＰＲＢの総数が他の値をとることができる。
【０１０２】
以上に図４に示す単一のタイムスロットにおける１セットのＰＲＢの集約を説明した。又は、少なくとも２つのタイムスロットにおける１セットのＰＲＢの集約を実行することができる。言い換えれば、ロングフォーマットＰＵＣＣＨが大きなペイロードを有するＰＵＣＣＨフォーマットに適応するように形成されるために、時間リソース及び周波数リソースを使用することができる。
【０１０３】
図５は他の実施例によるロングフォーマットＰＵＣＣＨを搬送するための少なくとも２つのタイムスロットにおけるＰＲＢを示す図である。
【０１０４】
図５に示すように、タイムスロット５０２が少なくともＰＲＢ  ５０２ＡとＰＲＢ  ５０２Ｂを含み、タイムスロット５０４が少なくともＰＲＢ  ５０４ＡとＰＲＢ  ５０４Ｂを含む。タイムスロット５０２とタイムスロット５０４のそれぞれにおいて、ダウンリンクのための１つのシンボル、スイッチング期間のための１つのシンボル、ＲＳのための２つのシンボル、ＵＣＩのための３つのシンボルがある。言い換えれば、タイムスロット５０２とタイムスロット５０４の構造が同じである。
【０１０５】
フォーマット１のＮＲ  ＰＵＣＣＨの場合、タイムスロット５０２に位置するＰＲＢ  ５０２ＡとＰＲＢ  ５０２Ｂ及びタイムスロット５０４に位置するＰＲＢ  ５０４ＡとＰＲＢ  ５０４Ｂのうちの３つのＰＲＢがＵＣＩを搬送するための９つのシンボルをサポートするために集約されてもよい。
【０１０６】
フォーマット２のＮＲ  ＰＵＣＣＨの場合、タイムスロット５０２に位置するＰＲＢ  ５０２ＡとＰＲＢ  ５０２Ｂ及びタイムスロット５０４に位置するＰＲＢ  ５０４ＡとＰＲＢ  ５０４Ｂにおける全てのタイムスロットがＵＣＩを搬送するための１２個のシンボルをサポートするために集約されてもよい。
【０１０７】
注意すべきものとして、フォーマット１のＮＲ  ＰＵＣＣＨ又はフォーマット２のＮＲ  ＰＵＣＣＨは一例に過ぎず、そして同様の原理がより高いペイロードを有する他のＰＵＣＣＨフォーマットに応用されてもよい。
【０１０８】
注意すべきものとして、集約されるＰＲＢの総数が以上の例に限定されず、ＵＣＩを搬送するためのタイムスロットにおけるシンボルの総数と特定のロングフォーマットＰＵＣＣＨに基づき、集約されるＰＲＢの総数が他の値をとることができる。
【０１０９】
図５に示す例では、時間領域と周波数領域において十分なシンボルを集約することができ、それによって多様性、周波数多様性、及び電力利得などの他の利得を改善することができる。
【０１１０】
図６は他の実施例によるロングフォーマットＰＵＣＣＨを搬送するための複数のタイムスロットにおけるＰＲＢを示す図である。図６に示す実施例はタイムスロット６０２の構造がタイムスロット６０４の構造と異なり、タイムスロット５０２の構造がタイムスロット５０４の構造と同じである点で、図５の実施例と異なる。
【０１１１】
スロット６０２に位置するＰＲＢ  ６０２Ａ及び６０２ＢとＰＲＢ６０４Ａ及び６０４Ｂのうちの２つ又は複数のタイムスロットがロングフォーマットＰＵＣＣＨ、例えばフォーマット１のＮＲ  ＰＵＣＣＨ又はフォーマット２のＮＲ  ＰＵＣＣＨをサポートするために集約されてもよい。
【０１１２】
図７は他の実施例によるロングフォーマットＰＵＣＣＨを搬送するための複数のタイムスロットにおけるＰＲＢを示す図である。
【０１１３】
図７に示す実施例はタイムスロット７０２に一つのＰＲＢ  ７０２Ｂのみが示される点で、図６の実施例と異なる。言い換えれば、図７は、１つのＰＲＢ  ７０２Ａが１つのスロット７０２において７つのシンボルを有するロングフォーマットＰＵＣＣＨに割り当てられ、それに続く２つのＰＲＢが次のタイムスロット７０４において５つのシンボルを有するロングフォーマットＰＵＣＣＨに割り当てられるという極端な場合を示す。それらは例えばフォーマット２をサポートするためのＮＲ  ＰＵＣＣＨを形成することに用いられる。この場合、各タイムスロットにおける割り当てられたＰＲＢの総数が異なっても、ＵＥは各タイムスロットにおける各ＰＲＢに同じ電力レベルを割り当てることができる。これにより、ＵＣＩの類似のカバレッジレートが保証される。
【０１１４】
図６と図７がいずれも図５に類似するため、以上に相違点のみを説明し、そしてここで詳細な説明を省略する。
【０１１５】
図１−図７を参照しながらｇＮＢ側で実行される集約方法を説明した。現在、以下に図８を参照しながらＵＥ側で実行される集約方法を説明する。
【０１１６】
図８は本開示の実施例によるＵＥで実行される集約方法を示すフローチャートである。図８に示すように、ＵＥで実行される集約方法は以下の操作を含む。
【０１１７】
ブロックＳ８０２において、ＵＥは、１セットのタイムスロット、単一のタイムスロットにおける１セットのＰＲＢと少なくとも２つのタイムスロットにおける１セットのＰＲＢのうちの一つに関する集約設定における少なくとも一部の集約設定の情報をｇＮＢから受信する。
【０１１８】
ブロックＳ８０４において、ＵＥは、集約設定に従って１セットのタイムスロット、単一のタイムスロットにおける１セットのＰＲＢと少なくとも２つのタイムスロットにおける１セットのＰＲＢのうちの一つを集約する。
【０１１９】
ブロックＳ８０６において、ＵＥは１セットのタイムスロット、単一のタイムスロットにおける１セットのＰＲＢと少なくとも２つのタイムスロットにおける１セットのＰＲＢのうちの集約された一つを介してロングフォーマットＰＵＣＣＨをｇＮＢに送信する。
【０１２０】
ロングフォーマットＰＵＣＣＨがＵＣＩを搬送するための１  ＰＲＢ  ｘ  Ｎ個のシンボルの時間周波数リソースをサポートする場合、１セットのタイムスロット、単一のタイムスロットにおける１セットのＰＲＢと少なくとも２つのタイムスロットにおける１セットのＰＲＢのうちの一つがＵＣＩを搬送するための約１  ＰＲＢ  ｘ  Ｎ個のシンボルの時間周波数リソースをサポートするために集約されてもよい。
【０１２１】
１セットのタイムスロットがロングフォーマットＰＵＣＣＨを搬送するために集約される場合、ブロックＳ８０２で、ＵＥはＵＣＩを搬送するための集約されるタイムスロットの総数、集約される各タイムスロットの構造と集約されるシンボルの総数のうちの少なくとも一つをｇＮＢから受信することができる。
【０１２２】
一つの実施例では、ＵＥはＵＣＩを搬送するための集約されるタイムスロットの総数と集約されるシンボルの総数を受信することができ、その後ＵＥは集約される各タイムスロットの構造をｇＮＢから共通制御チャネルを介して受信することができる。
【０１２３】
他の実施例では、ＵＥは集約されるタイムスロットの総数と集約される各タイムスロットの構造を受信することができる。図８ＢはＵＥが集約されるタイムスロットの総数と集約される各タイムスロットの構造を受信できる場合の本開示の他の実施例によるＵＥで実行される集約方法を示すフローチャートである。
【０１２４】
図８Ｂに示すように、集約方法は以下の操作を含むことができる。
【０１２５】
ブロックＳ８０２，において、ＵＥはＵＣＩを搬送するための集約されるタイムスロットの総数及び各タイムスロットの構造のうちの少なくとも１つに関する情報を取得することができる。
【０１２６】
ブロックＳ８０４，において、ＵＥは集約されるタイムスロットの総数及び各タイムスロットの構造のうちの少なくとも１つの情報に基づいて複数のタイムスロットを集約することができる。
【０１２７】
ブロックＳ８０６，において、ＵＥは集約されたタイムスロットを介してｇＮＢへＰＵＣＣＨを送信することができる。
【０１２８】
一つの実施例では、ＵＥはさらに集約されるタイムスロットの１番目のタイムスロットに関する情報を取得することができる。この場合、ＵＥは集約されるタイムスロットの総数、各タイムスロットの構造、及び集約されるタイムスロットの１番目のタイムスロットの情報のうちの少なくとも一つの情報に基づいて複数のタイムスロットを集約することができる。
【０１２９】
一つの実施例では、ＵＥは集約されるタイムスロットの総数をｇＮＢから取得することができる。
【０１３０】
一つの実施例では、ＵＥは集約される各タイムスロットの構造をｇＮＢから取得することができる。又は、一つの実施例では、ＵＥはプロトコルに従って、集約される各タイムスロットの構造を取得することができる。
【０１３１】
一つの実施例では、各タイムスロットにおける一つ又は複数のＰＲＢを集約することで複数のタイムスロットを集約する。一つの実施例では、前記一つ又は複数のＰＲＢは同じ方式で各タイムスロットに位置する。又は、他の実施例では、前記一つ又は複数のＰＲＢは異なる方式で各タイムスロットに位置する。
【０１３２】
一つの実施例では、ＰＵＣＣＨはロングフォーマットＰＵＣＣＨである。一つの実施例では、ロングフォーマットＰＵＣＣＨがＵＣＩを搬送するための１  ＰＲＢ  ｘ  Ｎ個のシンボルの時間周波数リソースをサポートする場合、ＵＣＩを搬送するための約１  ＰＲＢ  ｘ  Ｎ個のシンボルの時間周波数リソースをサポートするために複数のタイムスロットを集約することができ、ここで、Ｎが正整数である。
【０１３３】
単一のタイムスロットにおける１セットのＰＲＢがロングフォーマットＰＵＣＣＨを搬送するために集約される場合、ブロックＳ８０２で、ＵＥはＵＣＩを搬送するための単一のタイムスロットにおける集約されるＰＲＢの総数、単一のタイムスロットにおける集約される各ＰＲＢの位置と集約されるシンボルの総数のうちの少なくとも一つの情報をｇＮＢから受信する。
【０１３４】
少なくとも２つのタイムスロットにおける１セットのＰＲＢがロングフォーマットＰＵＣＣＨを搬送するために集約される場合、ブロックＳ８０２で、ＵＥは、ＵＣＩを搬送するための集約されるタイムスロットの総数、集約される各タイムスロットの構造、各タイムスロットにおける集約されるＰＲＢの総数、各タイムスロットにおける集約される各ＰＲＢの位置、及び集約されるシンボルの総数のうちの少なくとも一つの情報をｇＮＢから受信することができる。
【０１３５】
一つの実施例では、ＵＥはルックアップテーブルのインデックスを受信することができる。ルックアップテーブルがＵＥにおいて予め設定されてもよく、又はルックアップテーブルが上位層シグナリングによってＵＥに送信されてもよい。ルックアップテーブルは、ｇＮＢからの集約設定及び集約設定のインデックスを含む。この場合、ブロックＳ８０４の前に、ＵＥはｇＮＢから受信されたインデックスに基づいてルックアップテーブルから集約設定を取り出すことができる。
【０１３６】
一つの実施例では、ブロックＳ８０２で、ＵＥは、動的に下位層シグナリングを介し、半静的に上位層シグナリングの組み合わせ、又は下位層シグナリングと上位層シグナリングの組み合わせを介し、１セットのタイムスロット、単一のタイムスロットにおける１セットのＰＲＢと少なくとも２つのタイムスロットにおける１セットのＰＲＢのうちの一つに関する集約設定における少なくとも一部の集約設定の情報をｇＮＢから受信することができる。
【０１３７】
図１−図７を参照しながら集約方法の詳細を説明したため、ここでＵＥによって実行される集約方法の説明を省略する。適切な場合、図１−図７を参照して行われた同じ又は類似の説明は図８の実施例にも応用されてもよい。
【０１３８】
図９は本開示の実施例による相互作用するｇＮＢとＵＥで実行される集約方法のプロセスを示すフローチャートである。
【０１３９】
図９に相互作用するｇＮＢとＵＥで実行される集約方法が示されている。該集約方法は以下の操作を含む。
【０１４０】
ブロックＳ９０２において、ｇＮＢは、１セットのタイムスロット、単一のタイムスロットにおける１セットのＰＲＢと少なくとも２つのタイムスロットにおける１セットのＰＲＢのうちの一つに関する集約設定における少なくとも一部の集約設定の情報をユーザ装置（ＵＥ）に通知する。
【０１４１】
ブロックＳ９０４において、ＵＥは、集約設定に従って１セットのタイムスロット、単一のタイムスロットにおける１セットのＰＲＢと少なくとも２つのタイムスロットにおける１セットのＰＲＢのうちの一つを集約する。
【０１４２】
ブロックＳ９０６において、ＵＥは１セットのタイムスロット、単一のタイムスロットにおける１セットのＰＲＢと少なくとも２つのタイムスロットにおける１セットのＰＲＢのうちの集約された一つを介してロングフォーマットＰＵＣＣＨをｇＮＢに送信する。
【０１４３】
図１−図７を参照しながらｇＮＢで実行される集約方法の詳細を説明し、そして図８を参照しながらＵＥで実行される集約方法の詳細を説明したため、ここで図９の集約方法の詳細な説明を省略する。適切な場合、図１−図８を参照して行われた同じ又は類似の説明は図９の実施例にも応用されてもよい。
【０１４４】
図１０は本開示の実施例によるｇＮＢ  １０００の構成を示すブロック図である。
【０１４５】
図１０に示すように、ｇＮＢ  １０００はシグナリングモジュール１００２と取得モジュール１００４を備える。
【０１４６】
シグナリングモジュール１００２は１セットのタイムスロット、単一のタイムスロットにおける１セットのＰＲＢと少なくとも２つのタイムスロットにおける１セットのＰＲＢのうちの一つに関する集約設定における少なくとも一部の集約設定の情報をユーザ装置（ＵＥ）に通知するように構成されてもよい。
【０１４７】
取得モジュール１００４は、集約設定に従って集約された１セットのタイムスロット、単一のタイムスロットにおける１セットのＰＲＢと少なくとも２つのタイムスロットにおける１セットのＰＲＢのうちの一つに搬送されたロングフォーマットＰＵＣＣＨをＵＥから受信するように構成されてもよい。
【０１４８】
シグナリングモジュール１００２と取得モジュール１００４はいずれもｇＮＢでの少なくとも一つのプロセッサによって実現されてもよい。プロセッサは中央処理ユニット（ＣＰＵ：Ｃｅｎｔｒａｌ  Ｐｒｏｃｅｓｓｉｎｇ  Ｕｎｉｔ）、マイクロプロセッサユニット（ＭＰＵ：Ｍｉｃｒｏｐｒｏｃｅｓｓｏｒ  Ｕｎｉｔ）、デジタル信号プロセッサ（ＤＳＰ：Ｄｉｇｉｔａｌ  Ｓｉｇｎａｌ  Ｐｒｏｃｅｓｓｏｒ）又はフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）であってもよい。
【０１４９】
ロングフォーマットＰＵＣＣＨがＵＣＩを搬送するための１  ＰＲＢ  ｘ  Ｎ個のシンボルの時間周波数リソースをサポートする場合、１セットのタイムスロット、単一のタイムスロットにおける１セットのＰＲＢと少なくとも２つのタイムスロットにおける１セットのＰＲＢのうちの一つがＵＣＩを搬送するための約１  ＰＲＢ  ｘ  Ｎ個のシンボルの時間周波数リソースをサポートするために集約されてもよい。ここで、Ｎが正整数である。
【０１５０】
１セットのタイムスロットがロングフォーマットＰＵＣＣＨを搬送するために集約される場合、シグナリングモジュール１００２は集約されるタイムスロットの総数、集約される各タイムスロットの構造、及び集約されるシンボルの総数のうちの少なくとも一つの情報をＵＥに通知するように構成されてもよい。
【０１５１】
一つの実施例では、シグナリングモジュール１００２はＵＣＩを搬送するための集約されるタイムスロットの総数及び各タイムスロットの構造のうちの少なくとも１つに関する情報をＵＥに通知するように構成されてもよい。
【０１５２】
一つの実施例では、取得モジュール１０４４は、集約されるタイムスロットの総数及び各タイムスロットの構造のうちの少なくとも１つの情報に基づいて集約された複数のタイムスロットを介してＵＥからＰＵＣＣＨを受信するように構成されてもよい。
【０１５３】
一つの実施例では、シグナリングモジュール１００２はさらに集約される複数のタイムスロットの１番目のタイムスロットの情報を通知するように構成されてもよい。一つの実施例では、取得モジュール１００４は集約されるタイムスロットの総数、各タイムスロットの構造、及び集約されるタイムスロットの１番目のタイムスロットの情報のうちの少なくとも一つの情報に基づいて集約された複数のタイムスロットを介してＵＥからＰＵＣＣＨを受信するように構成されてもよい。
【０１５４】
一つの実施例では、取得モジュール１００４は、各タイムスロットにおける一つ又は複数のＰＲＢを集約することで集約された集約タイムスロットを介してＵＥからＰＵＣＣＨを受信するように構成されてもよい。一つの実施例では、前記一つ又は複数のＰＲＢは同じ方式で各タイムスロットに位置してもよい。又は、一つの実施例では、前記一つ又は複数のＰＲＢは異なる方式で各タイムスロットに位置してもよい。
【０１５５】
一つの実施例では、ＰＵＣＣＨはロングフォーマットＰＵＣＣＨである。又は、該ＰＵＣＣＨはロングフォーマットＰＵＣＣＨではなくてもよい。
【０１５６】
一つの実施例では、ロングフォーマットＰＵＣＣＨがＵＣＩを搬送するための１  ＰＲＢ  ｘ  Ｎ個のシンボルの時間周波数リソースをサポートする場合、複数のタイムスロットがＵＣＩを搬送するための約１  ＰＲＢ  ｘ  Ｎ個のシンボルの時間周波数リソースをサポートするために集約される。ここで、Ｎが正整数である。
【０１５７】
一つの実施例では、シグナリングモジュール１００２はＵＣＩを搬送するための集約されるタイムスロットの総数及び集約されるシンボルの総数をＵＥに通知するように構成されてもよい。この場合、共通制御チャネルを介して集約される各タイムスロットの構造をＵＥに通知する。
【０１５８】
単一のタイムスロットにおける１セットのＰＲＢがロングフォーマットＰＵＣＣＨを搬送するために集約される場合、シグナリングモジュール１００２はＵＣＩを搬送するための単一のタイムスロットにおける集約されるＰＲＢの総数、単一のタイムスロットにおける集約される各ＰＲＢの位置と集約されるシンボルの総数のうちの少なくとも一つの情報をＵＥに通知するように構成されてもよい。
【０１５９】
少なくとも２つのタイムスロットにおける１セットのＰＲＢがロングフォーマットＰＵＣＣＨを搬送するために集約される場合、シグナリングモジュール１００２は、ＵＣＩを搬送するための集約されるタイムスロットの総数、集約される各タイムスロットの構造、各タイムスロットにおける集約されるＰＲＢの総数、各タイムスロットにおける集約される各ＰＲＢの位置、集約されるシンボルの総数のうちの少なくとも一つの情報をＵＥに通知するように構成されてもよい。
【０１６０】
一つの実施例では、シグナリングモジュール１００２はルックアップテーブルのインデックスをＵＥに通知するように構成されてもよい。ここで、ルックアップテーブルがＵＥに予め設定され、又はルックアップテーブルが上位層シグナリングによってＵＥに送信される。ルックアップテーブルは、集約設定及び集約設定のインデックスを含む。
【０１６１】
一つの実施例では、シグナリングモジュール１００２は、動的に下位層シグナリングを介し、半静的に上位層シグナリングの組み合わせ、又は下位層シグナリングと上位層シグナリングの組み合わせを介して１セットのタイムスロット、単一のタイムスロットにおける１セットのＰＲＢと少なくとも２つのタイムスロットにおける１セットのＰＲＢのうちの一つに関する集約設定における少なくとも一部の集約設定の情報をユーザ装置（ＵＥ）に通知するよういに構成されてもよい。
【０１６２】
図１−図７を参照しながら集約方法の詳細を説明したため、ここでｇＮＢの詳細な説明を省略する。適切な場合、図１−図７を参照して行われた同じ又は類似の説明は図１０の実施例にも応用されてもよい。
【０１６３】
図１１は本開示の実施例によるＵＥ  １１００の構成を示すブロック図である。
【０１６４】
図１１に示すように、ＵＥ  １１００は取得モジュール１１０２、集約モジュール１１０４と送信モジュール１１０６を備える。
【０１６５】
取得モジュール１１０２は、１セットのタイムスロット、単一のタイムスロットにおける１セットのＰＲＢ及び少なくとも２つのタイムスロットにおける１セットのＰＲＢの集約設定における少なくとも一部の集約設定の情報をｇＮＢから受信するように構成されてもよい。
【０１６６】
集約モジュール１１０４は、集約設定に従って、１セットのタイムスロット、単一のタイムスロットにおける１セットのＰＲＢと少なくとも２つのタイムスロットにおける１セットのＰＲＢのうちの一つを集約するように構成されてもよい。
【０１６７】
取得モジュール１１０２、集約モジュール１１０４と送信モジュール１１０６はＵＥでの少なくとも一つのプロセッサによって実行されてもよい。プロセッサは、中央処理ユニット（ＣＰＵ）、マイクロプロセッサ（ＭＰＵ）、デジタル信号プロセッサ（ＤＳＰ）又はフィールドプログラマブルゲートアレイ（ＦＰＧＡ）であってもよい。
【０１６８】
送信モジュール１１０６は、１セットのタイムスロット、単一のタイムスロットにおける１セットのＰＲＢ及び少なくとも２つのタイムスロットにおける１セットのＰＲＢのうちの集約された一つを介してロングフォーマットＰＵＣＣＨをｇＮＢに送信するように構成されてもよい。
【０１６９】
ロングフォーマットＰＵＣＣＨがＵＣＩを搬送するための１  ＰＲＢ  ｘ  Ｎ個のシンボルの時間周波数リソースをサポートする場合、１セットのタイムスロット、単一のタイムスロットにおける１セットのＰＲＢと少なくとも２つのタイムスロットにおける１セットのＰＲＢの一つがＵＣＩを搬送するための約１  ＰＲＢ  ｘ  Ｎ個のシンボルの時間周波数リソースをサポートするために集約されてもよく、ここで、Ｎが正整数である。
【０１７０】
１セットのタイムスロットがロングフォーマットＰＵＣＣＨを搬送するために集約される場合、取得モジュール１１０２は、ＵＣＩを搬送するための集約されるタイムスロットの総数、集約される各タイムスロットの構造と集約されるシンボルの総数のうちの少なくとも一つの情報をｇＮＢから受信するように構成されてもよい。
【０１７１】
一つの実施例では、取得モジュール１１０２はＵＣＩを搬送するための集約されるタイムスロットの総数と集約されるシンボルの総数をｇＮＢから受信し、そして共通制御チャネルを介して集約される各タイムスロットの構造をｇＮＢから受信するように構成されてもよい。
【０１７２】
一つの実施例では、取得モジュール１１０２はＵＣＩを搬送するための集約されるタイムスロットの総数及び各タイムスロットの構造のうちの少なくとも１つに関する情報を取得するように構成されてもよい。この場合、集約モジュール１１０４は集約されるタイムスロットの総数及び各タイムスロットの構造のうちの少なくとも１つに関する情報に基づいて複数のタイムスロットを集約するように構成されてもよい。それに応じて、送信モジュール１１０６は集約されたタイムスロットを介してｇＮＢへＰＵＣＣＨを送信するように構成されてもよい。
【０１７３】
一つの実施例では、取得モジュール１１０２はさらに集約されるタイムスロットの１番目のタイムスロットに関する情報を取得するように構成されてもよい。この場合、集約モジュール１１０４は、集約されるタイムスロットの総数、各タイムスロットの構造と集約されるタイムスロットの１番目のタイムスロットの情報のうちの少なくとも一つの情報に基づいて複数のタイムスロットを集約するように構成されてもよい。
【０１７４】
一つの実施例では、取得モジュール１１０２は集約されるタイムスロットの総数をｇＮＢから取得するように構成されてもよい。
【０１７５】
一つの実施例では、取得モジュール１１０２は集約される各タイムスロットの構造をｇＮＢから取得するように構成されてもよい。又は、一つの実施例では、取得モジュール１１０２はプロトコルに従って、集約される各タイムスロットの構造を取得するように構成されてもよい。
【０１７６】
一つの実施例では、集約モジュール１１０４は各タイムスロットにおける一つ又は複数のＰＲＢを集約することで複数のタイムスロットを集約するように構成されてもよい。前記一つ又は複数のＰＲＢは同じ方式で各タイムスロットに位置する。
【０１７７】
一つの実施例では、集約モジュール１１０４は各タイムスロットにおける一つ又は複数のＰＲＢを集約することで複数のタイムスロットを集約するように構成されてもよい。前記一つ又は複数のＰＲＢは異なる方式で各タイムスロットに位置する。
【０１７８】
一つの実施例では、ＰＵＣＣＨはロングフォーマットＰＵＣＣＨであってもよい。又は、ＰＵＣＣＨはロングフォーマットＰＵＣＣＨではなくてもよい。
【０１７９】
単一のタイムスロットにおける１セットのＰＲＢがロングフォーマットＰＵＣＣＨを搬送するために集約される場合、取得モジュール１１０２は、ＵＣＩを搬送するための単一のタイムスロットにおける集約されるＰＲＢの総数、単一のタイムスロットにおける集約される各ＰＲＢの位置と集約されるシンボルの総数のうちの少なくとも一つに関する情報をｇＮＢから受信するように構成されてもよい。
【０１８０】
少なくとも２つのタイムスロットにおける１セットのＰＲＢがロングフォーマットＰＵＣＣＨを搬送するために集約される場合、取得モジュール１１０２は、ＵＣＩを搬送するための集約されるタイムスロットの総数、集約される各タイムスロットの構造、各タイムスロットにおける集約されるＰＲＢの総数、各タイムスロットにおける集約される各ＰＲＢの位置と集約されるシンボルの総数のうちの少なくとも一つの情報をｇＮＢから受信するように構成されてもよい。
【０１８１】
一つの実施例では、取得モジュール１１０２はルックアップテーブルのインデックスを受信するように構成されてもよい。ここで、ルックアップテーブルがＵＥに予め設定され、又はルックアップテーブルが上位層シグナリングによってＵＥに送信される。ルックアップテーブルは、ｇＮＢからの集約設定及び集約設定のインデックスを含む。取得モジュール１１０２は、さらにｇＮＢから受信されたインデックスに基づいてルックアップテーブルから集約設定を取り出すように構成されてもよい。
【０１８２】
一つの実施例では、取得モジュール１１０２は、動的に下位層シグナリングを介し、半静的に上位層シグナリングの組み合わせ、又は下位層シグナリングと上位層シグナリングの組み合わせを介し、１セットのタイムスロット、単一のタイムスロットにおける１セットのＰＲＢと少なくとも２つのタイムスロットにおける１セットのＰＲＢのうちの一つに関する集約設定における少なくとも一部の集約設定の情報をｇＮＢから受信するように構成されてもよい。
【０１８３】
図１−図８を参照しながら集約方法の詳細を説明したため、ここでＵＥの詳細な説明を省略する。適切な場合、図１−図８を参照して行われた同じ又は類似の説明は図１１の実施例にも応用されてもよい。
【０１８４】
図１２は例示的な実施例によるＵＥの構造を示す図である。
【０１８５】
図１２に示すように、ＵＥ  １２００は携帯電話、コンピュータ、デジタル放送端末、通信装置、タブレットコンピュータ、又はパーソナルデジタルアシスタントなどであってもよい。
【０１８６】
装置１２００は処理部材１２０２、メモリ１２０４、電源部材１２０６、マルチメディア部材１２０８及び通信部材１２１６のうちの一つ又は複数を備えることができる。
【０１８７】
処理部材１２０２は通常、制御装置１２００の全体的な動作、例えばディスプレイに関連する動作、電話コールに関連する動作、データ通信に関連する動作、カメラ動作及び記録動作を制御する。処理部材１２０２は上記方法の動作の全部又は一部を実行するための命令を実行することができる一つ又は複数のプロセッサ１２２０を含むことができる。そして、処理部材１２０２は処理部材１２０２と他の部材の間のインタラクションを容易にする一つ又は複数のモジュールを含むことができる。例えば、処理部材１２０２はマルチメディア部材１２０８と処理部材１２０２の間のインタラクションを容易にするマルチメディアモジュールを含むことができる。
【０１８８】
メモリ１２０４は様々なタイプのデータを記憶して装置１２００での動作をサポートするように構成されてもよい。これらのデータの例は装置１２００で動作するいかなるアプリケーションプログラム又は方法のための命令、連絡先データ、電話帳データ、メッセージ、イメージ、ビデオなどを含む。メモリ１２０４は、スタティックランダムアクセスメモリ（ＳＲＡＭ：Ｓｔａｔｉｃ  Ｒａｎｄｏｍ  Ａｃｃｅｓｓ  Ｍｅｍｏｒｙ）、電気的消去可能プログラマブル読み出し専用メモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、消去可能プログラマブル読み出し専用メモリ（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、プログラマブル読み出し専用メモリ（ＰＲＯＭ：Ｐｒｏｇｒａｍｍａｂｌｅ  Ｒｅａｄ−Ｏｎｌｙ  Ｍｅｍｏｒｙ）、読み出し専用メモリ（ＲＯＭ：Ｒｅａｄ−Ｏｎｌｙ  Ｍｅｍｏｒｙ）、磁気メモリ、フラッシュメモリ（ｆｌａｓｈ  ｍｅｍｏｒｙ）及び磁気ディスク又は光ディスクなどの任意のタイプの揮発性メモリデバイス又は不揮発性メモリデバイス、又はそれらの組み合わせによって実現されてもよい。
【０１８９】
電源部材１２０６は装置１２００の様々な部材に電力を供給する。電源部材１２０６は、電源管理システム、一つ又は複数の電源、及び装置１２００の電力生成、電力管理と分布に関連する他の部材を含むことができる。
【０１９０】
マルチメディア部材１２０８は前記装置１２００とユーザの間の一つの出力インターフェースを提供するスクリーンを含む。いくつかの実施例において、スクリーンは液晶ディスプレイ（ＬＣＤ：Ｌｉｑｕｉｄ  Ｃｒｙｓｔａｌ  Ｄｉｓｐｌａｙ）とタッチパネル（ＴＰ：ｔｏｕｃｈ  ｐａｎｅｌ）を含むことができる。スクリーンがタッチパネルを含む場合、スクリーンはタッチスクリーンとして実現され、ユーザからの入力信号を受信することができる。タッチパネルは一つ又は複数のタッチセンサを含んでタッチパネル上のタッチ、スライドとジェスチャをセンシングする。前記タッチセンサはタッチ又はスライド動作の境界をセンシングするだけでなく、前記タッチ又はスライド動作に関連する持続時間及び圧力を検出することができる。いくつかの実施例において、マルチメディア部材１２０８は一つのフロントカメラ及び／又はリアカメラを含む。装置１２００が動作モード、例えば撮影モード又はビデオモードにある場合フロントカメラ及び／又はリアカメラは外部のマルチメディアデータを受信することができる。各フロントカメラ及び／又はリアカメラは一つの固定された光学レンズシステムであってもよく又は焦点距離及び光学ズーム能力を有する。
【０１９１】
オーディオ部材１２１０はオーディオ信号を出力及び／又は入力するように構成される。例えば、オーディオ部材１２１０は一つのマイクロホン（ＭＩＣ）を含み、マイクロホンは、装置１２００が動作モード（例えばコールモード、記録モードと音声識別モード）にある場合、外部のオーディオ信号を受信するように構成される。前記受信されたオーディオ信号はさらにメモリ１２０４に記憶され、又は通信部材１２１６を介して送信されることができる。いくつかの実施例において、オーディオ部材１２１０はさらにオーディオ信号を出力するように構成されるスピーカを含む。
【０１９２】
Ｉ／Ｏインターフェース１２１２は処理部材１２０２と周辺インタフェースモジュールの間にインターフェースを提供し、上記周辺インタフェースモジュールがキーボード、クリックホイールとボタンなどであってもよい。これらのボタンはホームボタン、音量ボタン、スタートボタンとロックボタンを含むことができるがこれらに限定されない。
【０１９３】
センサ部材１２１４は装置１２００に様々な態様の状態評価を提供するように構成される一つ又は複数のセンサを含む。例えば、センサ部材１２１４は装置１２００のオープン／クローズ状態、部材の相対的な位置決め、例えば前記部材が装置１２００のディスプレイ及びキーパッドであることを検出することができ、センサ部材１２１４はさらに装置１２００又は装置１２００の一つの部材の位置変化、ユーザと装置１２００の接触の有無、装置１２００の方位又は加速／減速と装置１２００の温度変化を検出することができる。センサ部材１２１４は付近に位置し且ついかなる物理的接触がない物体の存在を検出するように構成される近接センサを含むことができる。センサ部材１２１４はさらに光センサ、例えば相補型金属酸化膜半導体（ＣＭＯＳ：Ｃｏｍｐｌｅｍｅｎｔａｒｙ  Ｍｅｔａｌ  Ｏｘｉｄｅ  Ｓｅｍｉｃｏｎｄｕｃｔｏｒ）又はイメージングアプリケーションで使用するように構成される電荷結合素子（ＣＣＤ）イメージセンサを含むことができる。いくつかの実施例において、該センサ部材１２１４はさらに加速度センサ、ジャイロセンサ、磁気センサ、圧力センサ又は温度センサを含むことができる。
【０１９４】
通信部材１２１６は装置１２００と他の装置の間の有線又は無線方式の通信を容易にするように構成される。装置１２００は通信規格に基づく無線ネットワーク、例えばＷｉＦｉ（Ｗｉ−Ｆｉ：Ｗｉｒｅｌｅｓｓ  Ｆｉｄｅｌｉｔｙ）ネットワーク、２Ｇ又は３Ｇ、又は４Ｇ又はそれらの組み合わせにアクセスすることができる。一つの例示的な実施例では、通信部材１２１６は放送チャネルを介して外部の放送管理システムからの放送信号又は放送関連情報を受信する。一つの例示的実施例では、前記通信部材１２１６はさらに短距離通信を促進するために近距離通信（ＮＦＣ：Ｎｅａｒ  Ｆｉｅｌｄ  Ｃｏｍｍｕｎｉｃａｔｉｏｎ）モジュールを含む。例えば、ＮＦＣモジュールは、無線周波数識別（ＲＦＩＤ：Ｒａｄｉｏ  Ｆｒｅｑｕｅｎｃｙ  Ｉｄｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域（ＵＷＢ：）技術、ブルートゥース（ＢＴ：Ｕｌｔｒａ−ＷｉｄｅＢａｎｄ）技術と他の技術に基づいて実現されてもよい。
【０１９５】
例示的な実施例では、装置１２００は、一つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、デジタル信号処理装置（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）、コントローラ、マイクロコントローラ、マイクロプロセッサ又は他の電子素子によって実現されてもよく、上記方法を実行するように構成される。
【０１９６】
例示的な実施形態では、命令を含む非一時的コンピュータ可読記憶媒体が提供され、非一時的コンピュータ可読記憶媒体に命令が記憶され、ｇＮＢのプロセッサによって該命令を実行する場合、プロセッサが図１−図８を参照して説明された集約方法を実行する。
【０１９７】
当業者は明細書を考慮してここでの開示を実践した後、本開示の他の実施例の実施手段を容易に想到する。本出願は本開示の実施例のいずれかの変形、用途又は適応的変化を含むことを意図し、これらの変形、用途又は適応的変化が本開示の一般的な原理に従い且つ本開示の実施例で公開されない本技術分野における公知知識又は慣用の技術手段を含む。本明細書及び実施例は例示のみとして見なされるが、本開示の実施例の真の範囲と精神は添付の特許請求の範囲によって示される。
【０１９８】
理解すべきものとして、本開示の実施例は以上に説明され且つ添付図面に示された正確な構造に限定されず、そしてその範囲から逸脱することなく様々な修正及び変更を行うことができる。本開示の範囲は添付の特許請求の範囲のみによって限定される。
【図１Ａ】
2020511093.tif 000011
【図１Ｂ】
2020511093.tif 000012
【図２】
2020511093.tif 000013
【図３】
2020511093.tif 000014
【図４】
2020511093.tif 000015
【図５】
2020511093.tif 000016
【図６】
2020511093.tif 000017
【図７】
2020511093.tif 000018
【図８Ａ】
2020511093.tif 000019
【図８Ｂ】
2020511093.tif 000020
【図９】
2020511093.tif 000021
【図１０】
2020511093.tif 000022
【図１１】
2020511093.tif 000023
【図１２】
2020511093.tif 000024
【国際調査報告】
2020511093.tif 000025
2020511093.tif 000026